(57)【特許請求の範囲】
【請求項１】
周囲に複数の図柄が付された複数の回転リールと、
すべての回転リールの回転を開始させるためのスタートスイッチと、
各回転リールに対応して設けられかつ各回転リールの回転を停止させるためのストップスイッチと、
特別役を含む複数の役のいずれかに当選か又はハズレかの役抽選を行う役抽選手段と、を備え、
遊技として、
通常の遊技である通常遊技と、
役抽選により特別役に当選したことを条件に開始可能となりかつ通常遊技とは異なる遊技である特別遊技と、
通常遊技よりも遊技者にとって有利な遊技である有利遊技と、を備え、
有利遊技として、
役抽選により特別役に当選した場合にのみ終了する無限有利遊技と、
特別役の当選以外の終了条件であって、遊技者によるストップスイッチの操作態様によっては回避することができない終了条件が少なくとも設定されかつ設定される終了条件の成立により終了する有限有利遊技とを備える遊技機であって、
前記無限有利遊技は前記有限有利遊技に比べて、実行確率が低くなるように設定し、
有利遊技を制御する有利遊技制御手段と、
無限有利遊技が少なくとも所定の期間にわたって実行されることを保障するためのものであって、無限有利遊技の終了条件ではない所定の値（以下、「保障値」とする。）を設定する保障値設定手段と、
無限有利遊技において、無限有利遊技に関する数をカウントするカウント手段と、を備え、
有利遊技制御手段は、
無限有利遊技において、役抽選により特別役に当選した場合に無限有利遊技を終了し、
特別役の当選により無限有利遊技を終了した場合に、カウント手段によりカウントされたカウント数が保障値より小さいものであったときには、特別遊技が終了した後に、保障値に達していない残数分の有限有利遊技を実行するように形成されていることを特徴とする遊技機。
【請求項２】
周囲に複数の図柄が付された複数の回転リールと、
すべての回転リールの回転を開始させるためのスタートスイッチと、
各回転リールに対応して設けられかつ各回転リールの回転を停止させるためのストップスイッチと、
主として遊技を制御する遊技制御装置と、
遊技制御装置からの信号を受信して主として遊技の演出を制御する演出制御装置と、を備え、
遊技制御装置と演出制御装置との間における信号の送受信は遊技制御装置から演出制御装置への一方向に形成され、
遊技制御装置は、
特別役を含む複数の役のいずれかに当選か又はハズレかの役抽選を行う役抽選手段を備え、
遊技として、
通常の遊技である通常遊技と、
役抽選により特別役に当選したことを条件に開始可能となりかつ通常遊技とは異なる遊技である特別遊技と、
通常遊技よりも遊技者にとって有利な遊技である有利遊技と、を備え、
有利遊技として、
役抽選により特別役に当選したとき、又は、所定の条件が成立した際に遊技者によるストップスイッチの操作態様に応じて特定の終了条件の成立を回避可能であるにも関わらず、回避できなかったあるいは回避しなかったことによって特定の終了条件が成立したときにのみ終了する無限有利遊技と、
特別役の当選以外の終了条件であって、遊技者によるストップスイッチの操作態様によっては回避することができない終了条件が少なくとも設定されかつ設定される終了条件の成立により終了する有限有利遊技とを備える遊技機であって、
前記無限有利遊技は前記有限有利遊技に比べて、実行確率が低くなるように設定し、
演出制御装置は、
有利遊技を制御する有利遊技制御手段と、
無限有利遊技が少なくとも所定の期間にわたって実行されることを保障するためのものであって、無限有利遊技の終了条件ではない所定の値（以下、「保障値」とする。）を設定する保障値設定手段と、
無限有利遊技において、無限有利遊技に関する数をカウントするカウント手段と、
無限有利遊技において、所定の条件が成立した際に特定の終了条件が成立することを回避するためのストップスイッチの操作態様を遊技者に報知する回避報知演出を実行する演出実行手段と、を備え、
有利遊技制御手段は、
無限有利遊技において、役抽選により特別役に当選したとき、又は、所定の条件が成立した際に遊技者によるストップスイッチの操作態様に応じて特定の終了条件の成立を回避可能であるにも関わらず、回避できなかったあるいは回避しなかったことによって特定の終了条件が成立したときに、無限有利遊技を終了し、
特別役の当選により無限有利遊技を終了した場合に、カウント手段によりカウントされたカウント数が保障値より小さいものであったときには、特別遊技が終了した後に、保障値に達していない残数分の有限有利遊技を実行するように形成されていることを特徴とする遊技機。
【請求項３】
保障値設定手段は、
保障値として、所定の遊技回数を設定するように形成され、
カウント手段は、
無限有利遊技に関する数として、遊技回数をカウントするように形成されていることを特徴とする請求項１又は２記載の遊技機。
【請求項４】
保障値設定手段は、
保障値として、所定の遊技回数を１セットするセット数を設定するように形成され、
カウント手段は、
無限有利遊技に関する数として、セット数をカウントするように形成されていることを特徴とする請求項１又は２記載の遊技機。
【発明の詳細な説明】
【技術分野】
【０００１】
本発明は、遊技機に関し、更に詳しくは、通常遊技よりも遊技者にとって有利な遊技である有利遊技を実行可能な遊技機に関する。
【背景技術】
【０００２】
従来、この種の遊技機、たとえばスロットマシンでは、ＲＴ（リプレイタイム）遊技や、ＡＴ（アシストタイム）遊技や、ＡＲＴ（アシストリプレイタイム）遊技などの通常遊技よりも遊技者にとって有利な遊技が知られている。ＲＴ遊技は、通常遊技よりも再遊技役の当選確率を高く設定した遊技であり、また、ＡＴ遊技は、小役などの当選を遊技者に報知する遊技である。また、ＡＲＴ遊技は、ＡＴ遊技とＲＴ遊技とを同時に実行する遊技である。
また、従来から、ボーナス役に当選するまで継続する有利遊技も知られている。このような遊技性の遊技は、「無限ＡＴ遊技」や、「無限ＲＴ遊技」や、「無限ＡＲＴ遊技」などと称されるものとなっている。そして、たとえば、特許文献１には、ＢＢ４に当選すると、次のＢＢまでＡＴゲーム数カウンタの値に関係なく単ベルの種別を報知する無限ＡＴ遊技を行うスロットマシンが開示されている。
【０００３】
また、たとえば、無限ＡＴ遊技や無限ＡＲＴ遊技では、はまればはまるほど（継続すればするほど）より多くのメダルを遊技者は獲得することができるようになっている。このため、通常遊技中は、ボーナス役に当選することを遊技者は期待するのに対して、無限ＡＴ遊技や無限ＡＲＴ遊技中は、ボーナス役に当選しないことを期待するようになり、無限ＡＴ遊技や無限ＡＲＴ遊技は、通常遊技とは異なる独特の高揚感を煽る遊技性となっている。
【先行技術文献】
【特許文献】
【０００４】
【特許文献１】特開２０１０−５７７３２号公報
【発明の概要】
【発明が解決しようとする課題】
【０００５】
しかしながら、無限ＡＴ遊技や無限ＡＲＴ遊技中に、早い遊技回数でボーナス役に当選してしまうと、なぜこのタイミングでボーナス役に当選してしまうのかといった不条理感や、本来であればもっと多く獲得できていたであろうメダルに対する損失感や、ストレスを遊技者が感じることがあった。
そこで、本発明は、ボーナス役に当選するまで継続する有利遊技（無限有利遊技）を実行する遊技機において、この無限有利遊技中に早い遊技回数でボーナス役に当選して無限有利遊技が終了した場合に、遊技者の不条理感や損失感やストレスを払拭することができる遊技機を提供することを目的とする。
【課題を解決するための手段】
【０００６】
各請求項に記載された発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、周囲に複数の図柄が付された複数の回転リール45と、すべての回転リール45の回転を開始させるためのスタートスイッチ33と、各回転リール45に対応して設けられかつ各回転リール45の回転を停止させるためのストップスイッチ34と、特別役を含む複数の役のいずれかに当選か又はハズレかの役抽選を行う役抽選手段100と、を備え、遊技として、通常の遊技である通常遊技と、役抽選により特別役に当選したことを条件に開始可能となりかつ通常遊技とは異なる遊技である特別遊技と、通常遊技よりも遊技者にとって有利な遊技である有利遊技と、を備え、有利遊技として、役抽選により特別役に当選した場合にのみ終了する無限有利遊技と、特別役の当選以外の終了条件であって、遊技者によるストップスイッチ34の操作態様によっては回避することができない終了条件が少なくとも設定されかつ設定される終了条件の成立により終了する有限有利遊技とを備える遊技機であって、前記無限有利遊技は前記有限有利遊技に比べて、実行確率が低くなるように設定し、有利遊技を制御する有利遊技制御手段160と、無限有利遊技が少なくとも所定の期間にわたって実行されることを保障するためのものであって、無限有利遊技の終了条件ではない所定の値（以下、「保障値」とする。）を設定する保障値設定手段180と、無限有利遊技において、無限有利遊技に関する数をカウントするカウント手段190と、を備え、有利遊技制御手段160は、無限有利遊技において、役抽選により特別役に当選した場合に無限有利遊技を終了し、特別役の当選により無限有利遊技を終了した場合に、カウント手段190によりカウントされたカウント数が保障値より小さいものであったときには、特別遊技が終了した後に、保障値に達していない残数分の有限有利遊技を実行するように形成されていることを特徴とする。
【０００７】
ここで、「有利遊技」は、通常遊技よりも遊技者にとって有利な遊技である。有利遊技としては、たとえば、役抽選の結果に関する情報を遊技者に報知するＡＴ（アシストタイム）遊技や、再遊技役の当選確率を通常遊技よりも高くしたＲＴ（リプレイタイム）遊技や、ＡＴ遊技とＲＴ遊技とを同時に実行するＡＲＴ（アシストリプレイタイム）遊技などが挙げられる。
また、「無限有利遊技」は、役抽選により特別役に当選した場合にのみ終了するものである。すなわち、無限有利遊技は、終了条件として、特別役の当選のみが設定されている遊技である。
【０００８】
また、「有限有利遊技」は、特別役の当選以外の終了条件であって、遊技者によるストップスイッチ34の操作態様によっては回避することができない終了条件が少なくとも設定されかつ設定される終了条件の成立により終了するものである。ここで、「ストップスイッチの操作態様」には、操作のタイミング及び操作順序のいずれをも含むものである。
また、「特別役の当選以外の終了条件であって、遊技者によるストップスイッチ34の操作態様によっては回避することができない終了条件」としては、設定される遊技回数の経過、所定の遊技回数を１セットとし、設定されるセット数の消化、有限有利遊技を継続するか否かの継続抽選によるハズレ、設定される回数の特定の報知演出の実行、設定される枚数のメダルの払い出し、一定期間内に遊技者が達成すべきミッションを提示しそのミッションの不達成などが挙げられる。
【０００９】
また、有限有利遊技には、特別役の当選により終了するものも終了しない（たとえば中断し特別遊技の終了後に再開する）ものも含むものである。
（請求項２）
請求項２記載の発明は、周囲に複数の図柄が付された複数の回転リール45と、すべての回転リール45の回転を開始させるためのスタートスイッチ33と、各回転リール45に対応して設けられかつ各回転リール45の回転を停止させるためのストップスイッチ34と、主として遊技を制御する遊技制御装置21と、遊技制御装置21からの信号を受信して主として遊技の演出を制御する演出制御装置22と、を備え、遊技制御装置21と演出制御装置22との間における信号の送受信は遊技制御装置21から演出制御装置22への一方向に形成され、遊技制御装置21は、特別役を含む複数の役のいずれかに当選か又はハズレかの役抽選を行う役抽選手段100を備え、遊技として、通常の遊技である通常遊技と、役抽選により特別役に当選したことを条件に開始可能となりかつ通常遊技とは異なる遊技である特別遊技と、通常遊技よりも遊技者にとって有利な遊技である有利遊技と、を備え、有利遊技として、役抽選により特別役に当選したとき、又は、所定の条件が成立した際に遊技者によるストップスイッチ34の操作態様に応じて特定の終了条件の成立を回避可能であるにも関わらず、回避できなかったあるいは回避しなかったことによって特定の終了条件が成立したときにのみ終了する無限有利遊技と、特別役の当選以外の終了条件であって、遊技者によるストップスイッチ34の操作態様によっては回避することができない終了条件が少なくとも設定されかつ設定される終了条件の成立により終了する有限有利遊技とを備える遊技機であって、前記無限有利遊技は前記有限有利遊技に比べて、実行確率が低くなるように設定し、演出制御装置22は、有利遊技を制御する有利遊技制御手段160と、無限有利遊技が少なくとも所定の期間にわたって実行されることを保障するためのものであって、無限有利遊技の終了条件ではない所定の値（以下、「保障値」とする。）を設定する保障値設定手段180と、無限有利遊技において、無限有利遊技に関する数をカウントするカウント手段190と、無限有利遊技において、所定の条件が成立した際に特定の終了条件が成立することを回避するためのストップスイッチ34の操作態様を遊技者に報知する回避報知演出を実行する演出実行手段170と、を備え、有利遊技制御手段160は、無限有利遊技において、役抽選により特別役に当選したとき、又は、所定の条件が成立した際に遊技者によるストップスイッチ34の操作態様に応じて特定の終了条件の成立を回避可能であるにも関わらず、回避できなかったことによって特定の終了条件が成立したときに、無限有利遊技を終了し、特別役の当選により無限有利遊技を終了した場合に、カウント手段190によりカウントされたカウント数が保障値より小さいものであったときには、特別遊技が終了した後に、保障値に達していない残数分の有限有利遊技を実行するように形成されていることを特徴とする。
【００１０】
ここで、「無限有利遊技」は、役抽選により特別役に当選したとき、又は、所定の条件が成立した際に遊技者によるストップスイッチ34の操作態様に応じて特定の終了条件の成立を回避可能であるにも関わらず、回避できなかったあるいは回避しなかったことによって特定の終了条件が成立したときにのみ終了するものである。
ここで、「回避できなかった」とは、特定のタイミングでストップスイッチ34を操作すれば、特定の終了条件の成立を回避することができるにもかかわらず、特定のタイミングでストップスイッチ34を操作することができなかったことを意味するものである。
また、「回避しなかった」とは、特定の操作順序でストップスイッチ34を操作すれば、特定の終了条件の成立を回避することができるにもかかわらず、特定の操作順序でストップスイッチ34を操作しなかったことを意味するものである。
【００１１】
また、「所定の条件が成立した際に遊技者によるストップスイッチ34の操作態様に応じて特定の終了条件の成立を回避可能であるにも関わらず、回避できなかったあるいは回避しなかったことによって特定の終了条件が成立したとき」としては、たとえば以下のものが挙げられる。
たとえば、遊技状態として通常状態とＲＴ状態とを設け、ＲＴ状態において、特定役を構成する図柄の組み合わせが有効入賞ライン上に停止表示されると通常状態へ転落（移行）するとともに、ＲＴ状態において、特定役に当選したとき（所定の条件が成立した際）に、ストップスイッチ34の操作態様に応じて特定役を構成する図柄の組み合わせを有効入賞ライン上に停止表示させないようにすることが可能であるにもかかわらず、回避報知演出に従わずにストップスイッチ34の操作を行った結果、特定役を構成する図柄の組み合わせを有効入賞ライン上に停止表示させないようにすることができなかった或いはさせないようにしなかったことによって、特定役を構成する図柄の組み合わせが有効入賞ライン上に停止表示された（特定の終了条件が成立したとき）とき、である。すなわち、有利遊技をＡＲＴ遊技とし無限有利遊技を無限ＡＲＴ遊技とした場合に、遊技状態が転落（移行）したときに、無限ＡＲＴ遊技は終了する。
【００１２】
また、たとえば、遊技状態として通常状態とＲＴ状態とを設け、ＲＴ状態において、特定役を構成する図柄の組み合わせが有効入賞ライン上に停止表示され遊技状態が通常状態へ転落（移行）し、この通常状態において、ストップスイッチ34の操作態様に応じて第２特定役を構成する図柄の組み合わせを有効入賞ライン上に停止表示させることによってＲＴ状態へ復帰することが可能であるにもかかわらず、回避報知演出に従わずにストップスイッチ34の操作を行った結果、第２特定役を構成する図柄の組み合わせを有効入賞ライン上に停止表示させることができなかった或いはさせなかったことによって、第２特定役を構成する図柄の組み合わせが有効入賞ライン上に停止表示されなかったとき、である。すなわち、有利遊技をＡＲＴ遊技とし無限有利遊技を無限ＡＲＴ遊技とした場合に、遊技状態が転落（移行）し、転落した遊技状態から元の遊技状態へ復帰できなかったときに、無限ＡＲＴ遊技は終了する。
【００１３】
また、たとえば、遊技状態として通常状態と第１ＲＴ状態と第２ＲＴ状態とを設け、第１ＲＴ状態において、特定役を構成する図柄の組み合わせ有効入賞ライン上に停止表示され遊技状態が通常状態へ転落（移行）し、この通常状態において、ストップスイッチ34の操作態様に応じて第３特定役を構成する図柄の組み合わせを有効入賞ライン上に停止表示させないようにすることが可能であるにもかかわらず、回避報知演出に従わずにストップスイッチ34の操作を行った結果、第３特定役を構成する図柄の組み合わせを有効入賞ライン上に停止表示させないようにすることができなかった或いはさせいないようにしなかったことによって、第３特定役を構成する図柄の組み合わせが有効入賞ライン上に停止表示され遊技状態が第２ＲＴ状態へ移行するとき、である。すなわち、有利遊技をＡＲＴ遊技とし無限有利遊技を無限ＡＲＴ遊技とした場合に、遊技状態が転落（移行）し、転落した遊技状態から元の遊技状態へ復帰できずにさらに他の遊技状態（第２ＲＴ状態）へ移行したときに、無限ＡＲＴ遊技は終了する。
【００１４】
（請求項３）
請求項３記載の発明は、上記請求項１又は２記載の発明の特徴に加え、保障値設定手段180は、保障値として、所定の遊技回数を設定するように形成され、カウント手段190は、無限有利遊技に関する数として、遊技回数をカウントするように形成されていることを特徴とする。
（請求項４）
請求項４記載の発明は、上記請求項１又は２記載の発明の特徴に加え、保障値設定手段180は、保障値として、所定の遊技回数を１セットするセット数を設定するように形成され、カウント手段190は、無限有利遊技に関する数として、セット数をカウントするように形成されていることを特徴とする。
【発明の効果】
【００１５】
本発明は、以上のように構成されているので、以下に記載されるような効果を奏する。
すなわち本発明では、無限有利遊技中に早い遊技回数で特別役に当選した場合に、特別遊技が終了した後に、保障値に達していない残数分の有限有利遊技を実行する。これにより、本発明によれば、無限有利遊技中に早い遊技回数で特別役に当選して無限有利遊技が終了した場合に、遊技者の不条理感や損失感やストレスを払拭することができる遊技機を提供することができる。
【図面の簡単な説明】
【００１６】
【図１】本発明の第１の実施の形態であって、スロットマシンの正面図である。
【図２】各回転リールの図柄の配列を説明するための説明図である。
【図３】スロットマシンのブロック図である。
【図４】役を説明するための説明図である。
【図５】役抽選テーブルを説明するための説明図である。
【図６】役抽選テーブルを説明するための説明図である。
【図７】遊技状態の移行を説明するための説明図である。
【図８】メイン制御処理の概略を示すフローチャートである。
【図９】サブ制御処理の概略を示すフローチャートである。
【図１０】第２ＡＴ中の処理を示すフローチャートである。
【図１１】第３ＡＴ中の処理を示すフローチャートである。
【発明を実施するための形態】
【００１７】
（第１の実施の形態）
本発明の第１の実施の形態を、図１〜図１１に基づいて説明する。
以下、「前面」とは、スロットマシン10において遊技を行う際に遊技者が向き合う面をいい、「右側」とは、スロットマシン10の前面に向き合って遊技を行う遊技者から見て右側をいい、「左側」とは、スロットマシン10の前面に向き合って遊技を行う遊技者から見て左側をいう。
（スロットマシン10）
図１に概略を示すように、遊技機としてのスロットマシン10は、前面に開口部を有する箱型の筐体11を備え、筐体11の前面には、開口部を塞ぐ前扉12を備え、筐体11の内部には、３個の回転リール45を横並びに配置したリールユニット40や、スロットマシン10を制御するための制御装置20や、遊技媒体としてのメダルを払い出すためのホッパーユニットや、スロットマシン10が備える各装置に電力を供給するための電源ユニットなどを備えている。
【００１８】
また、３個の回転リール45のうち、左側に位置するのが左リール46であり、中央に位置するのが中リール47であり、右側に位置するのが右リール48である。
また、前扉12の上部には、上パネル13を備え、前扉12の下部には、下パネル14を備え、前扉12の前面における、上パネル13と下パネル14との間には、前方へ向けて突出する操作部16を備えている。
また、上パネル13のほぼ中央には、各回転リール45の周囲に付されている図柄を遊技者に見せるための図柄表示窓15が設けられている。この図柄表示窓15は、３個すべての回転リール45の回転が停止した際には、縦３列横３行に配置した合計９個の図柄を遊技者に見せるように形成されている。
【００１９】
また、本実施の形態では、入賞ラインとして、下段の表示位置における３個の図柄を通る「下段入賞ライン」と、左上・中央・右下の表示位置における３個の図柄を通る「右下り入賞ライン」とが設けられている。
また、上パネル13における、図柄表示窓15の上方に相当する位置には、画像を表示する表示装置55が設けられている。また、上パネル13の周囲縁には、演出用ランプ17が設けられている。
また、操作部16の上面右側には、遊技媒体としてのメダルを投入するためのメダル投入口36が設けられ、操作部16の上面左側には、スロットマシン10に電子的に貯留（クレジット）されているメダルをベットするためのベットスイッチ32が設けられ、操作部16の上面左端付近には、クレジットされているメダルを返却するための精算スイッチ35が設けられ、操作部16の前面左側には、すべての回転リール45の回転を開始させるためのスタートスイッチ33が設けられ、操作部16の前面中央には、回転リール45の回転を停止させるためのものであって各回転リール45にそれぞれ対応している３個のストップスイッチ34が横並びに設けられている。
【００２０】
また、３個のストップスイッチ34のうち、左側に位置するのが左停止スイッチ56であり、中央に位置するのが中停止スイッチ57であり、右側に位置するのが右停止スイッチ58である。また、左停止スイッチ56は左リール46に対応しており、また、中停止スイッチ57は中リール47に対応しており、また、右停止スイッチ58は右リール48に対応している。
また、前扉12の下部中央には、メダルを払い出すためのメダル払出口37が設けられ、メダル払出口37の下方には、メダル払出口37から払い出されたメダルを受け止めて貯留するためのメダル受け皿38が設けられている。また、前扉12には、図示しないスピーカが設けられている。
【００２１】
（リールユニット40）
リールユニット40は、横並びに設けた３個の回転リール45と、各回転リール45を回転させるためのものであって各回転リール45にそれぞれ対応しているステッピングモータと、これらを支持するためのフレームとを備えている。
また、各回転リール45の周囲には、複数種類の図柄が所定の配列で合計２１個付されている。具体的には、回転リール45の周囲には、図２に示すように、「白７Ａ」、「白７Ｂ」、「赤ＢＡＲ」、「青ＢＡＲ」、「リプレイ」、「スイカ」、「ベルＡ」、「ベルＢ」、「ベルＣ」及び「チェリー」の図柄が付されている。
【００２２】
また、各ステッピングモータの出力軸には、対応する回転リール45がそれぞれ固定されている。
また、ステッピングモータは、パルス信号によって駆動するものであって、入力されるパルス信号のパターンによって、加速・定速・減速のパターンが決まる。そして、ステッピングモータが駆動すると、ステッピングモータの出力軸を中心に、対応する回転リール45が回転する。また、ステッピングモータは、一のパルス信号の入力により、回転リール45の周囲に付された図柄１個分に相当する量駆動する。そして、ステッピングモータが図柄１個分に相当する量駆動すると、対応する回転リール45が、周囲に付された図柄１個分に相当する量回転する（１コマ回転する）。
【００２３】
また、各回転リール45には、インデックスセンサにより検知されるインデックスが設けられており、インデックスが検知されてからのステッピングモータのパルス数により回転リール45の回転位置及び停止位置を特定できるようになっている。
（制御装置20）
制御装置20は、図３に示すように、主として遊技を制御する遊技制御装置21と、遊技制御装置21からの信号を受信して、主として遊技の演出を制御する演出制御装置22とを備えている。
遊技制御装置21は、メイン基板などとも呼ばれるものであって、ＣＰＵ、ＲＡＭ、ＲＯＭ、及びＩ／Ｏなどを備えたマイクロコンピュータを用いて構成されている。ＣＰＵがＲＯＭに記憶された所定のプログラムを実行することにより、遊技制御装置21を構成するマイクロコンピュータが、役の抽選（役抽選）、回転リール45の回転・停止及びメダルの払い出しなどの遊技の進行を制御する遊技制御手段60として機能する。詳細には、遊技制御手段60は、図３に示すように、役抽選手段100、回転制御手段110、停止制御手段120、停止図柄判定手段130及び遊技状態移行制御手段135などとして機能する。遊技制御装置21の入力手段としては、ベットスイッチ32、スタートスイッチ33、ストップスイッチ34、精算スイッチ35及びリールユニット40の各回転リール45のインデックスセンサなどが接続され、遊技制御装置21の出力手段としては、リールユニット40のステッピングモータや、ホッパーユニットなどが接続されている。
【００２４】
また、演出制御装置22は、サブ基板などとも呼ばれるものであって、遊技制御装置21と同様に、ＣＰＵ、ＲＡＭ、ＲＯＭ、及びＩ／Ｏなどを備えたマイクロコンピュータを用いて構成されている。ＣＰＵがＲＯＭに記憶された所定のプログラムを実行することにより、演出制御装置22を構成するマイクロコンピュータが、役抽選の結果や、遊技の進行に応じて遊技の演出を制御する演出制御手段150として機能する。演出制御装置22の入力手段としては、遊技制御装置21が接続され、演出制御装置22の出力手段としては、表示装置55や、演出用ランプ17や、図示しないスピーカなどが接続されている。
また、遊技制御装置21と演出制御装置22との間における信号の送受信は、遊技制御装置21における役抽選に関するデータ等の内部データの信頼性を担保すべく、一方通行となるように形成されている。
【００２５】
また、本実施の形態では、遊技制御装置21には、遊技状態として、通常状態と、第１ＲＴ状態と、第２ＲＴ状態と、第３ＲＴ状態と、内部中状態と、ボーナス状態とが設けられている（図７参照）。また、ボーナス状態には、ビッグボーナス状態（ＢＢ状態）と、レギュラーボーナス状態（ＲＢ状態）とがある。なお、遊技状態としてはこれに限られるものではない。
また、本実施の形態では、演出制御装置22には、演出状態として、通常演出状態と、第１ＡＴ状態と、第２ＡＴ状態と、第３ＡＴ状態とが設けられている。なお、演出状態としてはこれに限られるものではない。
【００２６】
また、本実施の形態では、遊技として、通常遊技と、ボーナス遊技（特別遊技）と、ＡＲＴ（アシストリプレイタイム）遊技（有利遊技）とがある。また、ＡＲＴ遊技には、無限ＡＲＴ遊技（無限有利遊技）と、有限ＡＲＴ遊技（有限有利遊技）とがあり、さらに、有限ＡＲＴ遊技には、通常ＡＲＴ遊技と、保障ＡＲＴ遊技とがある。そして、これらの各遊技は、遊技状態及び演出状態のいずれか一方又は双方により規定されている。具体的には、遊技状態が通常状態、第１ＲＴ状態又は第２ＲＴ状態でかつ演出状態が通常演出状態である遊技が通常遊技である。また、遊技状態がボーナス状態である遊技がボーナス遊技である。なお、本実施の形態では、この場合では演出状態は通常演出状態に設定される。また、演出状態が第１ＡＴ状態である遊技が通常ＡＲＴ遊技であり、また、演出状態が第２ＡＴ状態である遊技が無限ＡＲＴ遊技であり、また、演出状態が第３ＡＴ状態である遊技が保障ＡＲＴ遊技である。なお、遊技としてはこれに限られるものではない。
【００２７】
また、本実施の形態では、役として、有効入賞ライン上に所定の図柄の組み合わせが停止表示されることにより、メダルの払い出しはないがボーナス遊技へ移行するボーナス役（特別役）と、有効入賞ライン上に所定の図柄の組み合わせが停止表示されることにより、メダルが払い出される小役と、有効入賞ライン上に所定の図柄の組み合わせが停止表示されることにより、メダルの払い出しはないがメダルを新たに投入することなく前回の遊技と同じ条件で再度遊技を行うことができる再遊技を実行させる再遊技役とがある。ここで、「有効入賞ライン」とは、遊技媒体としてのメダルのベットに応じて有効になった入賞ラインである。本実施の形態では、１回の遊技につき、メダルを３枚ベットすることが可能となっており、３枚のメダルをベットすると、２本全ての入賞ラインが有効になり、有効入賞ラインとなる。なお、本実施の形態では、３枚のメダルをベットすることにより、遊技を開始することが可能となっている。
【００２８】
そして、ボーナス役には、図４に示すように、ＢＢ役と、ＲＢ役とがある。ＢＢ役は、「赤ＢＡＲ」「赤ＢＡＲ」「赤ＢＡＲ」の図柄の組み合わせにより構成される。そして、有効入賞ライン上にこの図柄の組み合わせが停止表示されることにより、ボーナス遊技としてのビッグボーナス遊技（遊技状態がＢＢ状態である遊技）へ移行する。また、ＲＢ役は、「赤ＢＡＲ」「赤ＢＡＲ」「青ＢＡＲ」の図柄の組み合わせにより構成される。そして、有効入賞ライン上にこの図柄の組み合わせが停止表示されることにより、ボーナス遊技としてのレギュラーボーナス遊技（遊技状態がＲＢ状態である遊技）へ移行する。
なお、本実施の形態では、ボーナス役は、メダルの払い出しを行うことなく、ボーナス遊技へ移行するようになっているが、所定枚数（たとえば１５枚）のメダルを払い出した後に、ボーナス遊技へ移行するようにしてもよい。
【００２９】
また、小役には、図４に示すように、ベル１役〜ベル２８役（以下、ベル１役〜ベル２８役を、「ベル役」と総称する。）と、スイカ役と、チェリー役とがある。たとえば、ベル１役は、「ベルＣ」「ベルＣ」「ベルＣ」の図柄の組み合わせにより構成され、また、たとえば、ベル２８役は、（「ベルＡ」、「ベルＢ」又は「ベルＣ」）（「白７Ａ」又は「白７Ｂ」）「白７Ａ」の図柄の組み合わせにより構成され、また、たとえば、チェリー役は、「チェリー」「ＡＮＹ」「ＡＮＹ」（「ＡＮＹ」は、いずれの図柄であってもよいことを意味する。）の図柄の組み合わせにより構成される。そして、役を構成する図柄の組み合わせがいずれかの有効入賞ライン上に停止表示されることにより、当該役に応じた所定枚数のメダルが払い出される。たとえば、「ベルＡ」「白７Ａ」「白７Ａ」の図柄の組み合わせが有効入賞ライン上に停止表示されることにより、ベル２８役に応じた所定枚数（たとえば９枚）のメダルが払い出される。
【００３０】
また、再遊技役には、図４に示すように、リプレイＡ役と、リプレイＢ役と、リプレイＣ役と、リプレイＤ役とがある。たとえば、リプレイＡ役は、「リプレイ」「リプレイ」「リプレイ」の図柄の組み合わせにより構成され、また、たとえば、リプレイＣ役は、（「白７Ｂ」又は「白７Ａ」）（「白７Ｂ」又は「白７Ａ」）（「白７Ｂ」又は「白７Ａ」）の図柄の組み合わせにより構成される。そして、いずれかの有効入賞ライン上にこの図柄の組み合わせが停止表示されることにより、メダルを新たに投入することなく前回の遊技と同じ条件で再度遊技を行うことができる。
（役抽選手段100）
役抽選手段100は、複数の役のいずれかに当選か又はハズレかの役抽選を行うものである。役抽選手段100は、乱数発生手段と、乱数抽出手段と、役抽選テーブルと、判定手段とを備えている。
【００３１】
乱数発生手段は、役抽選用の乱数を、所定の範囲内（たとえば、１０進数で０〜６５５３５）で発生させるものである。また、乱数抽出手段は、乱数発生手段が発生させた乱数を、所定の契機（たとえば、スタートスイッチ33の操作）で抽出するものである。
また、役抽選テーブルは、乱数発生手段が発生させる範囲内の各乱数について、複数の役のいずれかに当選か又はハズレかをあらかじめ定めたものである。本実施の形態では、役抽選テーブルには、図５に示すように、通常状態において用いられる通常役抽選テーブルと、第１ＲＴ状態において用いられる第１ＲＴ役抽選テーブルと、第２ＲＴ状態において用いられる第２ＲＴ役抽選テーブルと、第３ＲＴ状態において用いられる第３ＲＴ役抽選テーブルと、内部中状態において用いられる内部中役抽選テーブルと、ボーナス状態（ＢＢ状態及びＲＢ状態）において用いられるボーナス役抽選テーブルとがある。各役抽選テーブルには、当選の領域と、ハズレの領域とが設定されている。なお、当選の領域としては、一の役に対応付けられた当選領域である単独当選領域の他に、複数種類の役に対応付けられた重複当選領域を設定することができる。たとえば、通常役抽選テーブル及び第１〜第３ＲＴ役抽選テーブルのそれぞれには、各ボーナス役の単独当選領域と、スイカ役の単独当選領域と、チェリー役の単独当選領域と、ベル役の重複当選領域とがそれぞれ所定の範囲（所定の確率で）設定されている。また、通常役抽選テーブルには、さらに、リプレイＡ役の単独当選領域と、リプレイＢ役及びリプレイＣ役の重複当選領域（以下、この重複当選領域を「リプレイＢＣ役」と称する。）と、リプレイＡ役〜リプレイＣ役の重複当選領域（以下、この重複当選領域を「リプレイＡＢＣ役」と称する。）とがそれぞれ所定の範囲（所定の確率で）設定されている。また、第１ＲＴ役抽選テーブルには、さらに、リプレイＡ役及びリプレイＤ役の重複当選領域（リプレイＡＤ役）が所定の範囲（所定の確率で）設定されている。また、第２ＲＴ役抽選テーブル及び第３ＲＴ役抽選テーブルには、さらに、リプレイＡ役の単独当選領域が所定の範囲（所定の確率で）設定されている。
【００３２】
また、たとえば、内部中役抽選テーブルには、スイカ役の単独当選領域と、チェリー役の単独当選領域と、ベル役の重複当選領域とが通常役抽選テーブルとそれぞれ同一の範囲（同一の確率）で設定されているとともに、リプレイＡ役の単独当選領域が所定の範囲（所定の確率で）設定されている。また、たとえば、ボーナス役抽選テーブルには、ベル２８役の単独当選領域が所定の範囲（所定の確率で）設定されている。
また、ボーナス役抽選テーブルを除く各役抽選テーブルのぞれぞれには、図６に示すように、ベル役の重複当選領域として、「左ベルＡ」〜「左ベルＣ」、「中ベルＡ」〜「中ベルＣ」及び「右ベルＡ」〜「右ベルＣ」の９種類の重複当選領域が設定されている。そして、これらの９種類の重複当選領域のそれぞれには、図７に示すように、ベル１役〜ベル２７役のうちの９種類のベル役と、ベル２８役とが対応付けられている。また、これらの９種類の重複当選領域のそれぞれには、ベル役の組み合わせが互いに異なるものとなるようにベル１役〜ベル２７役が割り振られている。たとえば、左ベルＡの重複当選領域には、図６に示すように、ベル１役、ベル５役、ベル９役、ベル１１役、ベル１５役、ベル１６役、ベル２１役、ベル２２役、ベル２６役及びベル２８役が対応付けられている。以下、「左ベルＡ」の重複当選領域を「左ベルＡ役」と称し、また、「左ベルＢ」の重複当選領域を「左ベルＢ役」と称し、また、「左ベルＣ」の重複当選領域を「左ベルＣ役」と称し、また、「中ベルＡ」の重複当選領域を、「中ベルＡ役」と称し、また、「中ベルＢ」の重複当選領域を、「中ベルＢ役」と称し、また、「中ベルＣ」の重複当選領域を、「中ベルＣ役」と称し、また、「右ベルＡ」の重複当選領域を、「右ベルＡ役」と称し、また、「右ベルＢ」の重複当選領域を、「右ベルＢ役」と称し、また、「右ベルＣ」の重複当選領域を、「右ベルＣ役」と称する。
【００３３】
なお、重複当選領域としては、これに限られるものではなく、たとえば、各ボーナス役及びスイカ役又はチェリー役の重複当選領域を設けるようにしてもよい。
また、本実施の形態では、第１ＲＴ役抽選テーブル及び第２ＲＴ役抽選テーブルにおいては、再遊技役の当選確率が通常役抽選テーブルよりも低い確率に設定され、また、第３ＲＴ役抽選テーブルにおいては、再遊技役の当選確率が通常役抽選テーブルよりも高い確率に設定されている。具体的には、通常役抽選テーブルにおいては、再遊技役の当選確率が約１／５．３に設定され、また、第１ＲＴ役抽選テーブル及び第２ＲＴ役抽選テーブルにおいては、約１／７．３に設定され、また、第３ＲＴ役抽選テーブルにおいては、再遊技役の当選確率が約１／１．２に設定されている。これにより、遊技状態が通常状態又は第３ＲＴ状態である遊技は、遊技状態が第１ＲＴ状態又は第２ＲＴ状態である遊技よりも遊技者にとって有利な遊技となっている。なお、再遊技役の当選確率はこれに限られるものではない。
【００３４】
また、ボーナス役抽選テーブルにおいては、ベル２８役の当選確率は、約１／１．１に設定されている。これにより、ボーナス遊技（特別遊技）は、通常遊技とは異なる遊技、具体的には通常遊技よりも遊技者にとって有利な遊技となっている。
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行う。
そして、役抽選手段100による役抽選で、いずれかの役に当選すると、当選した役に対応する当選フラグが成立する。なお、役抽選手段100による役抽選で、複数の役に重複当選した場合には、当選した複数の役それぞれに対応する当選フラグが成立する。そして、このフラグの成立中に、いずれかの有効入賞ライン上に、役抽選で当選した役を構成する図柄の組み合わせが停止表示されると、遊技者に対して、メダルの払い出しや、ボーナス遊技等の利益が付与される。
【００３５】
ここで、当選フラグには、役抽選手段100による役抽選の結果が、小役の当選である場合に成立する小役当選フラグと、役抽選手段100による役抽選の結果が、再遊技役の当選である場合に成立する再遊技当選フラグと、役抽選手段100による役抽選の結果が、ボーナス役の当選である場合に成立するボーナス当選フラグとがある。
そして、小役当選フラグ及び再遊技当選フラグは、成立した遊技においてのみ有効となるものの、ボーナス当選フラグは、次の遊技へ持ち越すことができるものとなっており、当選したボーナス役を構成する図柄の組み合わせがいずれかの有効入賞ライン上に停止表示されることにより消去されるものとなっている。
【００３６】
また、役抽選手段100は、役抽選の結果を演出制御装置22に送信する。
（回転制御手段110）
回転制御手段110は、回転リール45の回転駆動を制御するものである。具体的には、回転制御手段110は、スタートスイッチ33の操作を契機に、３個すべての回転リール45の回転を通常の回転方向に開始させて、その回転速度が所定の定常速度に達するまで加速処理を行う。そして、回転制御手段110は、回転リール45の回転速度が所定の定常速度に達したときには、回転リール45を所定の定常速度で定速回転させる定速処理を行う。
（停止制御手段120）
停止制御手段120は、ストップスイッチ34の操作を契機として、役抽選の結果と、ストップスイッチ34が操作された時点における対応する回転リール45の回転位置とに基づいて、回転リール45の回転を適位置で停止させるものである。
【００３７】
本実施の形態では、停止制御手段120は、各ストップスイッチ34が停止操作された際における対応する回転リール45の回転位置を、対応するインデックスが検知されてから対応するストップスイッチ34が停止操作されるまでの間における対応するステッピングモータのステップ数で特定しつつ、ストップスイッチ34が停止操作された時点で、有効入賞ライン上に直ちに停止できる図柄（すなわち、回転リール45の回転位置）を基準として、この図柄から回転方向に予め定められた個数（最大スベリコマ数、たとえば４コマ）移動した図柄までの範囲内で、対応する回転リール45を停止させる。ここで、「コマ」とは、回転リール45の回転量であって、回転リール45の周囲に付された図柄１個分に相当する量を意味するものである。
【００３８】
具体的には、停止制御手段120は、役抽選の結果がいずれかの役に当選の場合には、各回転リール45の回転を停止させるに際し、当選した役を構成する図柄の組み合わせがいずれかの有効入賞ライン上に極力揃うように、かつ、当選した役以外の役を構成する図柄の組み合わせについてはいずれの有効入賞ライン上にも揃わないように、引き込み制御及び蹴飛ばし制御を行い、一方、役抽選の結果がハズレの場合には、各回転リール45の回転を停止させるに際し、いずれの有効入賞ライン上にも、いずれの役を構成する図柄の組み合わせも揃わないように、蹴飛ばし制御を行う。
また、本実施の形態では、複数の当選フラグが成立している場合があり、このような場合に、停止制御手段120は、引き込み制御において、当選した複数の役のうちいずれの役を優先して引き込むかを予め設定している。具体的には、停止制御手段120は、引き込み優先順位を、「再遊技役」＞「小役」＞「ボーナス役」に設定している。なお、引き込み優先順位は、これに限られるものではない。
【００３９】
また、停止制御手段120は、引き込み制御及び蹴飛ばし制御を、回転リール45の停止位置を予め定めた停止テーブルを参照して制御を行うテーブル制御や、所定の図柄を停止させるか否かを判断しながら制御を行うプログラム制御などにより行うことができる。
また、停止制御手段120は、リールユニット40の各ステッピングモータへのパルス信号の供給を停止することにより、回転リール45の回転を適位置で停止させる。
（ベル役）
つぎに、左ベルＡ役などのベル役に関する重複当選領域に当選した場合の停止制御について説明する。本実施の形態では、図２の図柄の配列に示すように、ベル２８役を構成する図柄の組み合わせは、ストップスイッチ34の操作のタイミングに関わらず、有効入賞ライン上に停止表示させることができるようになっている。一方、ベル１役〜ベル２７役を構成するそれぞれの図柄の組み合わせは、ストップスイッチ34の操作のタイミングに応じて、有効入賞ライン上に停止表示させることができるようになっている。
【００４０】
そして、本実施の形態では、停止制御手段120は、役抽選により左ベルＡ役などのベル役に関する重複当選領域に当選した場合には、ストップスイッチ34の操作態様に応じて、ベル２８役を構成する図柄の組み合わせ、ベル２８役以外の当選した他のベル役を構成する図柄の組み合わせ又はいずれの役をも構成しない特定のハズレの図柄の組み合わせであるブランク図柄を有効入賞ライン上に停止表示させるように停止制御を行う。
具体的には、本実施の形態では、左ベルＡ役などのベル役に関する重複当選領域のそれぞれに対して、３個のストップスイッチ34に基づく３通りの操作順序のうちのいずれかの操作順序が割り当てられており、割り当てられている操作順序が、各重複当選領域に対する正解の操作順序となっている。たとえば、左ベルＡ役〜左ベルＣ役の各重複当選領域に対しては、左停止スイッチ56を最初に操作する順序が正解の操作順序として割り当てられており、また、たとえば、中ベルＡ役〜中ベルＣ役の各重複当選領域に対しては、中停止スイッチ57を最初に操作する順序が正解の操作順序として割り当てられており、また、たとえば、右ベルＡ役〜右ベルＣ役の各重複当選領域に対しては、右停止スイッチ58を最初に操作する順序が正解の操作順序として割り当てられている。
【００４１】
そして、停止制御手段120は、役抽選により左ベルＡ役などのベル役に関する重複当選領域に当選した場合に、当選した重複当選領域に対して割り当てられている正解の操作順序で各ストップスイッチ34（56,57,58）が停止操作されると、ベル２８役以外の当選した他のベル役に優先して、ストップスイッチ34の操作のタイミングに関わらず、ベル２８役を構成する図柄の組み合わせを有効入賞ライン上に停止表示させ、その正解の操作順序以外の操作順序（不正解の操作順序）で各ストップスイッチ34（56,57,58）が停止操作されると、ベル２８役に優先して、ストップスイッチ34の操作のタイミングに応じて、ベル２８役以外の当選した他のベル役を構成する図柄の組み合わせを有効入賞ライン上に停止表示させることができる場合には、その役を構成する図柄の組み合わせを有効入賞ライン上に停止表示させ、ベル２８役以外の当選した他のベル役のうちいずれの役を構成する図柄の組み合わせも有効入賞ライン上に停止表示させることができない場合には、ブランク図柄を有効入賞ライン上に停止表示させる。たとえば、停止制御手段120は、役抽選により左ベルＡ役に当選した場合に、左停止スイッチ56が最初に操作される順序（正解の操作順序）で各ストップスイッチ34（56,57,58）が操作されると、ベル１役、ベル５役、ベル９役、ベル１１役、ベル１５役、ベル１６役、ベル２１役、ベル２２役及びベル２６役に優先して、ストップスイッチ34の操作のタイミングに関わらず、ベル２８役を構成する図柄の組み合わせを有効入賞ライン上に停止表示させ、中停止スイッチ57又は右停止スイッチ58が最初に操作される順序（不正解の操作順序）で各ストップスイッチ34（56,57,58）が操作されると、ベル２８役に優先して、ストップスイッチ34の操作のタイミングに応じて、ベル１役、ベル５役、ベル９役、ベル１１役、ベル１５役、ベル１６役、ベル２１役、ベル２２役及びベル２６役のうちのいずれかの役を構成する図柄の組み合わせを有効入賞ライン上に停止表示させることができる場合には、その役を構成する図柄の組み合わせを有効入賞ライン上に停止表示させ、上記役のうちいずれの役を構成する図柄の組み合わせも有効入賞ライン上に停止表示させることができない場合には、ブランク図柄を有効入賞ライン上に停止表示させる。
【００４２】
（再遊技役）
つぎに、リプレイＢＣ役などの再遊技役に関する重複当選領域に当選した場合の停止制御について説明する。本実施の形態では、図２の図柄の配列に示すように、リプレイＡ役〜リプレイＤ役のそれぞれを構成する図柄の組み合わせは、ストップスイッチ34の操作のタイミングに関わらず、有効入賞ライン上に停止表示させることができるようになっている。
そして、本実施の形態では、停止制御手段120は、リプレイＢＣ役などの再遊技役に関する重複当選領域に当選した場合には、ストップスイッチ34の操作順序に応じて、当選したいずれかの再遊技役を構成する図柄の組み合わせを有効入賞ライン上に停止表示させるように停止制御を行う。
【００４３】
具体的には、停止制御手段120は、役抽選によりリプレイＢＣ役に当選した場合に、中停止スイッチ57が最初に操作される順序で各ストップスイッチ34（56,57,58）が操作されると、リプレイＢ役に優先して、ストップスイッチ34の操作のタイミングに関わらず、リプレイＣ役を構成する図柄の組み合わせを有効入賞ライン上に停止表示させ、左停止スイッチ56又は右停止スイッチ58が最初に操作される順序で各ストップスイッチ34（56,57,58）が操作されると、リプレイＣ役に優先して、ストップスイッチ34の操作のタイミングに関わらず、リプレイＢ役を構成する図柄の組み合わせを有効入賞ライン上に停止表示させる。
【００４４】
また、停止制御手段120は、役抽選によりリプレイＡＢＣ役に当選した場合に、右停止スイッチ58が最初に操作される順序で各ストップスイッチ34（56,57,58）が操作されると、リプレイＡ役及びリプレイＢ役に優先して、ストップスイッチ34の操作のタイミングに関わらず、リプレイＣ役を構成する図柄の組み合わせを有効入賞ライン上に停止表示させ、左停止スイッチ56又は中停止スイッチ57が最初に操作される順序で各ストップスイッチ34（56,57,58）が操作されると、リプレイＡ役及びリプレイＣ役に優先して、ストップスイッチ34の操作のタイミングに関わらず、リプレイＢ役を構成する図柄の組み合わせを有効入賞ライン上に停止表示させる。
【００４５】
また、停止制御手段120は、役抽選によりリプレイＡＤ役に当選した場合に、右停止スイッチ58が最初に操作される順序で各ストップスイッチ34（56,57,58）が操作されると、リプレイＡ役に優先して、ストップスイッチ34の操作のタイミングに関わらず、リプレイＤ役を構成する図柄の組み合わせを有効入賞ライン上に停止表示させ、左停止スイッチ56又は中停止スイッチ57が最初に操作される順序で各ストップスイッチ34（56,57,58）が操作されると、リプレイＤ役に優先して、ストップスイッチ34の操作のタイミングに関わらず、リプレイＡ役を構成する図柄の組み合わせを有効入賞ライン上に停止表示させる。
（停止図柄判定手段130）
停止図柄判定手段130は、すべての回転リール45の回転が停止した際に、有効入賞ライン上に停止表示されている図柄の組み合わせを判定するものである。
【００４６】
また、本実施の形態では、停止図柄判定手段130により判定が行われると、この判定の結果に基づいた制御が所定の手段により実行される。たとえば、停止図柄判定手段130により、いずれかの小役を構成する図柄の組み合わせが有効入賞ライン上に停止表示されていると判定されると、遊技制御手段60は、この小役に応じた所定枚数のメダルを払い出すようにする。たとえば、「ベルＡ」「白７Ａ」「白７Ａ」の図柄の組み合わせが有効入賞ライン上に停止表示されていると判定されると、遊技制御手段60は、ベル２８役に応じた９数のメダルを払い出すようにする。また、たとえば、停止図柄判定手段130により、再遊技役を構成する図柄の組み合わせが有効入賞ライン上に停止表示されていると判定されると、遊技制御手段60は、再遊技を実行する制御を行う。
【００４７】
（遊技状態移行制御手段135）
遊技状態移行制御手段135は、通常状態、第１ＲＴ状態〜第３ＲＴ状態、内部中状態及びボーナス状態の間で遊技状態の移行を制御するものである。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
また、本実施の形態では、小役、リプレイＡ役及びリプレイＤ役は、遊技状態の移行条件となっていない。すなわち、たとえばベル２８役を構成する図柄の組み合わせが有効入賞ライン上に停止表示されても、遊技状態移行制御手段135は作動せず、現在の遊技状態に維持されたままとなる。
【００４８】
そして、本実施の形態では、遊技状態移行制御手段135は、図７に示すように、通常状態において、リプレイＢ役を構成する図柄の組み合わせが有効入賞ライン上に停止表示されたことを条件として、すなわちこれを契機として、遊技状態を、通常状態から第２ＲＴ状態へ移行させ、また、通常状態において、リプレイＣ役を構成する図柄の組み合わせが有効入賞ライン上に停止表示されたことを条件として、遊技状態を、通常状態から第３ＲＴ状態へ移行させる。
また、遊技状態移行制御手段135は、第１ＲＴ状態において、ブランク図柄が有効入賞ライン上に停止表示されたことを条件として、遊技状態を、第１ＲＴ状態から通常状態へ移行させる。また、遊技状態移行制御手段135は、第２ＲＴ状態において、所定の遊技回数（本実施の形態では３０回）が経過したことを条件として、遊技状態を、第２ＲＴ状態から通常状態へ移行させる。また、遊技状態移行制御手段135は、第３ＲＴ状態において、ブランク図柄が有効入賞ライン上に停止表示されたことを条件として、遊技状態を、第３ＲＴ状態から通常状態へ移行させる。
【００４９】
また、遊技状態移行制御手段135は、通常状態、第１ＲＴ状態、第２ＲＴ状態又は第３ＲＴ状態において、役抽選によりボーナス役に当選した場合に、当該遊技で、当選したボーナス役を構成する図柄の組み合わせが有効入賞ライン上に停止表示されなかったことを条件として、遊技状態を、現在の遊技状態から内部中状態へ移行させ、また、当該遊技で、当選したボーナス役を構成する図柄の組み合わせが有効入賞ライン上に停止表示されたことを条件として、遊技状態を現在の遊技状態から当該ボーナス役に対応するボーナス状態へ移行させる。また、遊技状態移行制御手段135は、内部中状態において、持ち越しているボーナス当選フラグ、すなわち当選の権利を持ち越しているボーナス役を構成する図柄の組み合わせが有効入賞ライン上に停止表示されたことを条件として、遊技状態を、内部中状態から当該ボーナス役に対応するボーナス状態へ移行させる。ボーナス状態への移行によりボーナス遊技が開始される。
【００５０】
また、遊技状態移行制御手段135は、ボーナス状態において所定枚数（たとえばＢＢ状態においては「２９７枚」、また、ＲＢ状態においては「６３枚」）のメダルを払い出したことを条件に、遊技状態を、ボーナス状態から第１ＲＴ状態へ移行させる。なお、ボーナス状態から第１ＲＴ状態への移行条件、すなわちボーナス遊技の終了条件としては、他の条件（たとえば遊技回数）を設定することもできる。
また、本実施の形態では、遊技状態移行制御手段135は、現在の遊技状態を示す状態信号を演出制御装置22に送信する。たとえば、遊技状態移行制御手段135は、毎遊技、現在の遊技状態を示す状態信号を演出制御装置22に送信する。なお、たとえば、遊技状態移行制御手段135は、遊技状態を移行させた場合に、移行後の遊技状態を示す状態信号を演出制御装置22に送信するようにしてもよい。
【００５１】
（演出制御手段150）
演出制御手段150は、表示装置55や演出用ランプ17やスピーカを制御して、役抽選の結果や、遊技の進行に応じて、遊技の演出の実行を制御するものである。本実施の形態では、演出制御手段150は、各演出状態において、表示装置55に特定の画像を表示させたり、演出用ランプ17を点灯又は点滅させたり、スピーカから所定の音を出力させたりすることにより、遊技を盛り上げる演出を実行する。たとえば、演出制御手段150は、遊技状態がボーナス状態でかつ演出状態が通常演出状態である場合に、ボーナス遊技を盛り上げる演出を実行する。
【００５２】
また、本実施の形態では、上述したように、演出状態として、通常演出状態と、第１ＡＴ状態と、第２ＡＴ状態と、第３ＡＴ状態とを備えており、演出制御手段150は、これらの演出状態の間で演出状態を切り替える制御を行う。
また、通常演出状態は、通常の演出状態であり、また、第１ＡＴ状態、第２ＡＴ状態及び第３ＡＴ状態は、役抽選の結果に関する情報を遊技者に対して報知する報知演出を実行する状態である。役抽選の結果に関する情報（報知の内容）としては、当選した役の情報や、当選した役を構成する図柄の組み合わせを有効入賞ライン上に停止表示させるためのストップスイッチ34の操作順序（押し順）などがある。
【００５３】
遊技者は、たとえば当選した小役が報知されると、当選した小役を構成する図柄が有効入賞ライン上に停止するようタイミングを図ってストップスイッチ34を操作することにより、報知がない場合と比較してより多くの小役を有効入賞ライン上に停止表示させることができ、ひいてはより多くの枚数のメダルを獲得することができる。このため、演出状態が第１ＡＴ状態、第２ＡＴ状態又は第３ＡＴ状態である遊技は、通常遊技よりも遊技者にとって有利な遊技となっている。特に本実施の形態では、ベル役に当選した際に、ベル２８役を構成する図柄の組み合わせを有効入賞ライン上に停止表示させるためのストップスイッチ34の操作順序を遊技者に対して報知することにより、演出状態が第１ＡＴ状態、第２ＡＴ状態又は第３ＡＴ状態である遊技は、通常遊技よりも遊技者にとって有利な遊技（有利遊技）となっている。
【００５４】
また、本実施の形態では、演出制御手段150は、演出状態が通常演出状態である場合に、所定の契機により、演出状態を第１ＡＴ状態又は第２ＡＴ状態に切り替えることを決定する。たとえば、演出制御手段150は、演出状態が通常演出状態でかつペナルティ期間中でない場合に、役抽選により所定の役（たとえばボーナス役、スイカ役又はチェリー役）に当選したときに、演出状態を第１ＡＴ状態又は第２ＡＴ状態に切り替えるか否かをＡＴ抽選により決定することができる。また、たとえば、演出制御手段150は、ボーナス遊技において、役抽選により所定の役に当選したときに、演出状態を第２ＡＴ状態に切り替えることを決定することができる。具体的には、ボーナス状態の抽選対象として、白７（「白７Ａ」又は「白７Ｂ」）の図柄の組み合わせが揃うリプレイＣ役を設定し、演出制御手段150は、ボーナス遊技において、役抽選によりリプレイＣ役に当選したときに、演出状態を第２ＡＴ状態とすることを決定することができる。そして、演出制御手段150は、演出状態を第１ＡＴ状態に切り替えることを決定した場合には、第１ＡＴ予約フラグを所定の記憶領域に成立させ、また、演出状態を第２ＡＴ状態とすることを決定した場合には、第２ＡＴ予約フラグを所定の記憶領域に成立させる。
【００５５】
ここで、「ペナルティ期間」とは、演出状態を第１ＡＴ状態又は第２ＡＴ状態に切り替えることを決定することを禁止する期間、具体的にはＡＴ抽選の実行を禁止する期間である。本実施の形態では、演出制御手段150は、演出状態が通常演出状態でかつ遊技状態が通常状態、第１ＲＴ状態又は第２ＲＴ状態である場合に、中停止スイッチ57又は右停止スイッチ58を最初に操作する順序でストップスイッチ34が操作されたときに、その後の所定の遊技回数（たとえば８回）をペナルティ期間に設定する。
そして、本実施の形態では、演出制御手段150は、図３に示すように、有利遊技制御手段160と、演出実行手段170と、保障値設定手段180と、カウント手段190とを備えている。
【００５６】
（有利遊技制御手段160）
有利遊技制御手段160は、ＡＲＴ遊技（有利遊技）を制御するものである。
本実施の形態では、無限ＡＲＴ遊技は、役抽選によりボーナス役に当選した場合にのみ終了する遊技となっている。
また、通常ＡＲＴ遊技は、ボーナス役の当選以外の終了条件であって、遊技者によるストップスイッチ34の操作態様によっては回避することができない終了条件（以下、「回避不能条件」とする。）が少なくとも設定されかつ設定される終了条件の成立により終了する遊技である。本実施の形態では、通常ＡＲＴ遊技は、回避不能条件が成立したとき、又は、所定の条件が成立した際に遊技者によるストップスイッチ34の操作態様に応じて特定の終了条件の成立を回避可能であるにも関わらず、回避できなかったことによって特定の終了条件が成立したときにのみ終了する遊技となっている。
【００５７】
また、保障ＡＲＴ遊技は、後述する保障値に達していない残数分の遊技の実行により終了する遊技である。本実施の形態では、保障ＡＲＴ遊技は、設定される遊技回数の経過により終了する遊技となっている。
そして、本実施の形態では、有利遊技制御手段160は、演出状態が通常演出状態でかつ第１ＡＴ予約フラグが成立している場合に、所定の契機により、第１ＡＴ状態フラグを所定の記憶領域に成立させ、演出状態を第１ＡＴ状態に設定する。これにより、通常ＡＲＴ遊技が開始される。なおこのとき、第１ＡＴ予約フラグは消去される。
また、有利遊技制御手段160は、演出状態が通常演出状態でかつ第２ＡＴ予約フラグが成立している場合に、所定の契機により、第２ＡＴ状態フラグを所定の記憶領域に成立させ、演出状態を第２ＡＴ状態に設定する。これにより、無限ＡＲＴ遊技が開始される。なおこのとき、第２ＡＴ予約フラグは消去される。
【００５８】
また、有利遊技制御手段160は、演出状態が通常演出状態でかつ後述する第３ＡＴ予約フラグが成立している場合に、所定の契機により、第３ＡＴ状態フラグを所定の記憶領域に成立させ、演出状態を第３ＡＴ状態に設定する。これにより、無限ＡＲＴ遊技が開始される。なおこのとき、第３ＡＴ予約フラグは消去される。
ここで、「第１〜第３ＡＴ状態フラグ」は、各ＡＴ状態を管理するためのものである。すなわち、第１ＡＴ状態フラグが成立している状態が第１ＡＴ状態であり、また、第２ＡＴ状態フラグが成立している状態が第２ＡＴ状態であり、また、第３ＡＴ状態フラグが成立している状態が第３ＡＴ状態であり、また、第１ＡＴ状態フラグ、第２ＡＴ状態フラグ及び第３ＡＴ状態フラグのいずれもが成立していない状態が通常演出状態である。そして、これにより、本実施の形態では、第１ＡＴ状態、第２ＡＴ状態及び第３ＡＴ状態は管理状態が異なるものとしている。
【００５９】
また、各ＡＲＴ遊技を開始するタイミングである「所定の契機」としては、適宜設定することができるが、本実施の形態では、遊技状態が通常状態へ移行したとき又は遊技状態が通常状態であるときとしている。
また、本実施の形態では、有利遊技制御手段160は、第１ＡＴ状態において、回避不能条件が成立したときに、第１ＡＴ状態フラグを消去して、演出状態を通常演出状態に設定する。これにより、通常ＡＲＴ遊技が終了する。
また、有利遊技制御手段160は、第２ＡＴ状態において、役抽選によりボーナス役に当選したときに、第２ＡＴ状態フラグを消去して、演出状態を通常演出状態に設定する。これにより、無限ＡＲＴ遊技が終了する。
【００６０】
また、有利遊技制御手段160は、第３ＡＴ状態において、後述するカウンタのカウント値が「０」になったとき（設定される遊技回数が経過したとき）に、第３ＡＴ状態フラグを消去して、演出状態を通常演出状態に設定する。これにより、保障ＡＲＴ遊技が終了する。
また、有利遊技制御手段160は、演出状態が第１ＡＴ状態又は第３ＡＴ状態でかつ遊技状態が第３ＲＴ状態である遊技（通常ＡＲＴ遊技又は保障ＡＲＴ遊技）において、ブランク図柄が有効入賞ライン上に停止表示され遊技状態が通常状態へ移行し、この通常状態において役抽選によりリプレイＢＣ役又はリプレイＡＢＣ役に当選した場合（所定の条件が成立した際）に、リプレイＣ役を構成する図柄の組み合わせが有効入賞ライン上に停止表示されなかったとき（特定の終了条件が成立したとき）に、成立している第１ＡＴ状態フラグ又は第３ＡＴ状態フラグを消去して、演出状態を通常演出状態に設定する。これにより実行中の通常ＡＲＴ遊技又は保障ＡＲＴ遊技が終了する。ここで、「通常ＡＲＴ遊技又は保障ＡＲＴ遊技において、ブランク図柄が有効入賞ライン上に停止表示され遊技状態が通常状態へ移行する」場合とは、遊技者が、後述する演出実行手段170によるベル報知演出に従わずにストップスイッチ34の操作を行った場合である。また、「この通常状態において役抽選によりリプレイＢＣ役又はリプレイＡＢＣ役に当選した場合に、リプレイＣ役を構成する図柄の組み合わせが有効入賞ライン上に停止表示されなかったとき」とは、遊技者が、通常状態において後述する演出実行手段170によるリプレイ報知演出に従わずにストップスイッチ34の操作を行った場合（遊技者によるストップスイッチ34の操作順序（操作態様）に応じて特定の終了条件の成立を回避可能であるにもかかわらず、回避しなかった場合）である。すなわち、本実施の形態では、通常ＡＲＴ遊技又は保障ＡＲＴ遊技において、遊技者が少なくとも２回の報知に従わずにストップスイッチ34の操作を行った場合にも、通常ＡＲＴ遊技又は保障ＡＲＴ遊技は終了する。なお、本実施の形態では、無限ＡＲＴ遊技は、同様に遊技者が少なくとも２回の報知に従わずにストップスイッチ34の操作を行った場合であっても、終了しないものであるが、終了するようにしてもよい。また、通常ＡＲＴ遊技又は保障ＡＲＴ遊技も、この場合に終了しないようにしてもよい。
【００６１】
また、有利遊技制御手段160は、第１ＡＴ状態又は第３ＡＴ状態において、役抽選によりボーナス役に当選したときには、実行中の通常ＡＲＴ遊技又は保障ＡＲＴ遊技を中断して、当選したボーナス役に対応するボーナス遊技が終了した後、具体的にはボーナス遊技終了後に遊技状態が通常状態となったときに、中断した通常ＡＲＴ遊技又は保障ＡＲＴ遊技を再開する。
また、本実施の形態では、有利遊技制御手段160は、第２ＡＴ状態において、役抽選によりボーナス役に当選した場合に、後述するカウンタのカウント値が「１」以上であるときに、第３ＡＴ予約フラグを所定の記憶領域に成立させる。これにより、当選したボーナス役に対応するボーナス遊技が終了した後、具体的にはボーナス遊技終了後に遊技状態が通常状態となったときに、保障ＡＲＴ遊技が実行される。
【００６２】
（演出実行手段170）
演出実行手段170は、演出を実行するものである。演出実行手段170は、各演出状態において、役抽選の結果などに基づいて、遊技を盛り上げる演出を実行する。
また、本実施の形態では、演出実行手段170は、演出状態が第１ＡＴ状態、第２ＡＴ状態又は第３ＡＴ状態でかつ遊技状態が通常状態又は第３ＲＴ状態である場合に、役抽選により左ベルＡ役〜左ベルＣ役、中ベルＡ役〜中ベルＣ役及び右ベルＡ役〜右ベルＣ役のいずれかに当選したときに、ベル２８役を構成する図柄の組み合わせを有効入賞ライン上に停止表示させるためのストップスイッチ34の操作順序、言い換えれば当選した重複当選領域に対して割り当てられている正解の操作順序を遊技者に報知するベル報知演出を実行する。
【００６３】
また、本実施の形態では、演出実行手段170は、演出状態が第１ＡＴ状態、第２ＡＴ状態又は第３ＡＴ状態でかつ遊技状態が通常状態である場合に、役抽選によりリプレイＢＣ役又はリプレイＡＢＣ役に当選したとき（所定の条件が成立した際）に、リプレイＣ役を構成する図柄の組み合わせを有効入賞ライン上に停止表示させるための（特定の終了条件が成立することを回避するための）リプレイ報知演出（回避報知演出）を実行する。たとえば、演出実行手段170は、役抽選によりリプレイＢＣ役に当選した場合には、リプレイ報知演出として、中停止スイッチ57を最初に操作する順序を遊技者に報知する。そして、この報知に従ってストップスイッチ34（56，57，58）を操作すると、リプレイＣ役を構成する図柄の組み合わせが有効入賞ライン上に停止表示される。
【００６４】
なお、本実施の形態では、第３ＲＴ状態においては、リプレイＢＣ役又はリプレイＡＢＣ役は役抽選の抽選対象に設定されていないので、演出状態が第１ＡＴ状態、第２ＡＴ状態又は第３ＡＴ状態でかつ遊技状態が第３ＲＴ状態である場合には、ベル報知演出だけが実行され、リプレイ報知演出は実行されない。
また、本実施の形態では、演出実行手段170は、第３ＡＴ状態において、後述するカウンタのカウント値に基づいて、保障ＡＲＴ遊技の残りの遊技回数をカウントダウン表示する。
（保障値設定手段180）
保障値設定手段180は、無限ＡＲＴ遊技（無限有利遊技）が少なくとも所定の期間にわたって実行されることを保障するためのものであって、無限ＡＲＴ遊技の終了条件ではない所定の値（以下、「保障値」とする。）を設定するものである。本実施の形態では、保障値設定手段180は、保障値として、所定の遊技回数（たとえば「３００」回）を設定する。
【００６５】
なお、保障値は、ボーナス役の当選確率（ＢＢ役とＲＢ役との合算の当選確率）に基づいた或いは関連したものとすることができる。すなわち、ボーナス役に当選するまで継続する無限ＡＲＴ遊技においては、たとえばボーナス役の当選確率を１／３００とすると、遊技者は、無限ＡＲＴ遊技が３００回は継続するであろうと期待するので、この場合では、保障値を「３００」回とすることができる。
そして、本実施の形態では、保障値設定手段180は、演出状態が第２ＡＴ状態に設定されたとき、すなわち無限ＡＲＴ遊技を開始するときに、後述するカウンタに保障値（たとえば「３００」）を設定する。
【００６６】
なお、保障値設定手段180は、複数の値（たとえば「２００」、「３００」又は「４００」や、「２００〜４００」）のうちから保障値を選択（決定）し、その選択（決定）した値を設定するようにしてもよい。
また、スロットマシン10の出玉率（メダルの投入枚数に対する払い出し枚数の比率）を定めた複数段階の設定値（たとえば１〜６）に応じてボーナス役の当選確率が異なるようにした場合には、設定値に応じて複数の値のうち特定の値が選ばれ易いようにしてもよい。このようにすると、「保障値」を、遊技者が設定値を推測する判断材料とすることができる。
【００６７】
また、特定の設定値（たとえば６）の場合のみ選ばれる特定の保障値を設けるようにしてもよい。このようにすると、この特定の保障値によって、遊技者が設定値を知ることができるようになる。
（カウント手段190）
カウント手段190は、無限ＡＲＴ遊技（無限有利遊技）において、無限ＡＲＴ遊技に関する数をカウントするものである。本実施の形態では、カウント手段190は、無限ＡＲＴ遊技に関する数をカウントためのカウンタを備えている。このカウンタは、初期値として「０」が設定されている。
【００６８】
また、本実施の形態では、カウント手段190は、無限ＡＲＴ遊技に関する数として、遊技回数をカウントする。具体的には、カウント手段190は、演出状態が第２ＡＴ状態で、遊技状態が通常状態又は第３ＲＴ状態でかつカウンタのカウント値が「１」以上である場合に、毎遊技の実行に伴い（たとえばスタートスイッチ33の操作を契機として）カウンタのカウント値を「１」減算する。これにより、カウント手段190は、無限ＡＲＴ遊技の遊技回数をカウントする。
また、カウント手段190は、第２ＡＴ状態において、役抽選によりボーナス役に当選した場合に、カウンタのカウント値が「１」以上であるときに、カウンタのカウント値をリセットせずにそのまま保持する。
【００６９】
また、本実施の形態では、カウント手段190は、演出状態が第３ＡＴ状態に設定されたとき、すなわち保障ＡＲＴ遊技が開始されたときには、保持しているカウント値から遊技回数のカウントを開始する。そして、カウント手段190は、演出状態が第３ＡＴ状態で、遊技状態が通常状態又は第３ＲＴ状態でかつカウンタのカウント値が「１」以上である場合に、毎遊技の実行に伴いカウンタのカウント値を「１」減算する。なお、カウンタのカウント値が「０」になると、上述の如く、第３ＡＴ状態が終了し保障ＡＲＴ遊技は終了する。これにより、無限ＡＲＴ遊技がボーナス役の当選により終了した場合に、カウント手段190によりカウントされたカウント数が保障値より小さいものであったときに、ボーナス遊技が終了した後に、保障値に達していない残数分の保障ＡＲＴ遊技を実行するものとしている。
【００７０】
なお、カウント手段190は、第２ＡＴ状態において、役抽選によりボーナス役に当選した場合に、カウンタのカウント値が「１」以上であるときに、カウンタのカウント値を記憶し、演出状態が第３ＡＴ状態に設定されたときに、カウンタのカウント値に、記憶している値を設定して遊技回数のカウントを開始するようにしてもよい。
（通常ＡＲＴ遊技）
通常ＡＲＴ遊技について説明する。本実施の形態では、通常ＡＲＴ遊技は、回避不能条件が成立したとき、又は、所定の条件が成立した際に遊技者によるストップスイッチ34の操作態様に応じて特定の終了条件の成立を回避可能であるにも関わらず、回避できなかったことによって特定の終了条件が成立したときにのみ終了する遊技となっている。
【００７１】
ここで、「回避不能条件」としては、設定される遊技回数の経過、所定の遊技回数を１セットとし、設定されるセット数の消化、所定の遊技回数を１セットとし、通常ＡＲＴ遊技を継続するか否かの継続抽選によるハズレ、設定される回数の特定の報知演出（たとえばベル報知演出）の実行、設定される枚数のメダルの払い出し、一定期間内に遊技者が達成すべきミッションを提示しそのミッションの不達成などとすることができる。
たとえば、「回避不能条件」を、設定される遊技回数の経過とする場合には、演出制御手段150は、演出状態を第１ＡＴ状態に切り替えることを決定したときに、遊技回数を選択（決定）することができる。また、たとえば、「回避不能条件」を、設定されるセット数の消化とする場合には、演出制御手段150は、演出状態を第１ＡＴ状態に切り替えることを決定したときに、セット数を選択（決定）することができる。また、たとえば、「回避不能条件」を、継続抽選によるハズレとする場合には、有利遊技制御手段160は、１セットが経過するまでに継続抽選を行うことができる。また、たとえば、「回避不能条件」を、ミッションの不達成（所定の遊技回数内におけるミッション不達成）とする場合には、有利遊技制御手段160は、ミッションを選択（決定）し、通常ＡＲＴ遊技において、ミッションを遊技者に提示することができる。
【００７２】
そして、これらの４つの場合には、カウント手段190は、通常ＡＲＴ遊技において、遊技回数をカウントすることができる。具体的には、無限ＡＲＴ遊技又は保障ＡＲＴ遊技における場合と同様に遊技回数をカウントすることができる。なお、カウント手段190とは別のカウント手段を設け、このカウント手段が、通常ＡＲＴ遊技において、遊技回数をカウントするようにしてもよい。
また、たとえば、「回避不能条件」を、設定される回数の特定の報知演出（たとえばベル報知演出）の実行とする場合には、演出制御手段150は、演出状態を第１ＡＴ状態に切り替えることを決定したときに、特定の報知演出の実行回数を選択（決定）することができる。そして、カウント手段190は、通常ＡＲＴ遊技において、特定の報知演出の実行回数をカウントすることができる。なお、カウント手段190とは別のカウント手段を設け、このカウント手段が、通常ＡＲＴ遊技において、特定の報知演出の実行回数をカウントするようにしてもよい。
【００７３】
また、たとえば、「回避不能条件」を、設定される枚数のメダルの払い出しとする場合には、演出制御手段150は、演出状態を第１ＡＴ状態に切り替えることを決定したときに、メダルの払い出し枚数（たとえば３００枚など）を選択（決定）することができる。そして、カウント手段190は、通常ＡＲＴ遊技において、メダルの払い出し枚数をカウントすることができる。なお、カウント手段190とは別のカウント手段を設け、このカウント手段が、通常ＡＲＴ遊技において、メダルの払い出し枚数をカウントするようにしてもよい。
（スロットマシン10の動作）
以下、図８〜図１１に示すフローチャートに基づいて、本実施の形態に係るスロットマシン10の動作の概略を説明する。まず、スロットマシン10の遊技制御装置21における処理であるメイン制御処理について説明する。
【００７４】
図８に示すステップ１００において、遊技制御手段60により、規定枚数（本実施の形態では３枚）のメダルがベットされたか否かが判断される。ここで、ベットされたと判断されると、ステップ１０１に進む。一方、ベットされていないと判断されると、再度ステップ１００となる。
ステップ１０１において、遊技制御手段60により、スタートスイッチ33が操作されたか否かが判断される。ここで、操作されたと判断されると、ステップ１０２に進む。一方、操作されていないと判断されると、再度ステップ１０１となる。
ステップ１０２において、役抽選手段100により、役抽選が行われるとともに、役抽選の結果が演出制御装置22に送信され、ステップ１０３において、回転制御手段110より、３個すべての回転リール45の回転が開始される。そして、次のステップ１０４に進む。
【００７５】
ステップ１０４において、遊技制御手段60により、ストップスイッチ34が操作されたか否かが判断される。ここで、操作されたと判断されると、ステップ１０５に進む。一方、操作されていないと判断されると、再度ステップ１０４となる。
ステップ１０５において、停止制御手段120により、操作されたストップスイッチ34に対応する回転リール45の停止制御が行われる。そして、次のステップ１０６に進む。
ステップ１０６において、遊技制御手段60により、すべての回転リール45の回転が停止したか否かが判断される。ここで、すべての回転リール45の回転が停止したと判断されると、ステップ１０７に進む。一方、すべての回転リール45の回転が停止していないと判断されると、ステップ１０４に戻る。
【００７６】
ステップ１０７において、停止図柄判定手段130により、有効入賞ライン上に停止表示された図柄の組み合わせを判定する停止表示図柄判定処理が行われ、判定の結果が演出制御装置22に送信される。そして、次のステップ１０８に進む。
ステップ１０８において、遊技制御手段60により、停止表示された図柄の組み合わせに応じた処理が行われる。たとえば、いずれかの小役を構成する図柄の組み合わせが停止表示された場合には、遊技制御手段60により、当該役に応じた枚数のメダルの払い出しが行われる。また、たとえば、いずれかの再遊技役を構成する図柄の組み合わせが有効入賞ライン上に停止表示された場合には、遊技制御手段60により、再遊技を実行するための処理、具体的には前回の遊技でベットした枚数と同数のメダルを自動的にベットする処理が行われる。
【００７７】
また、たとえば、いずれかのボーナス役を構成する図柄の組み合わせが有効入賞ライン上に停止表示された場合には、遊技状態移行制御手段135により、当該役に応じたボーナス状態へ遊技状態が移行され、また、たとえば、ボーナス遊技の終了条件を満たした場合には、遊技状態が第１ＲＴ状態へ移行される。また、たとえば、通常状態においてリプレイＣ役を構成する図柄の組み合わせが有効入賞ライン上に停止表示された場合には、遊技状態が第３ＲＴ状態へ移行され、また、たとえば、通常状態においてリプレイＢ役を構成する図柄の組み合わせが有効入賞ライン上に停止表示された場合には、遊技状態が第２ＲＴ状態へ移行され、また、第１ＲＴ状態又は第３ＲＴ状態においてブランク図柄が有効入賞ライン上に停止表示された場合には、遊技状態が通常状態へ移行される。また、たとえば、第２ＲＴ状態において、所定の遊技回数（本実施の形態では３０回）が経過した場合には、遊技状態が通常状態へ移行される。そして、当該メイン制御処理が終了する。
【００７８】
つぎに、スロットマシン10の演出制御装置22における処理であるサブ制御処理について説明する。
図９に示すステップ２００において、演出状態が通常演出状態であるか否かが判断される。ここで、演出状態が通常演出状態であると判断されると、ステップ２０１に進む。一方、演出状態が通常演出状態でないと判断されると、ステップ２０２に進む。
ステップ２０１において、演出状態が通常演出状態である場合における処理である通常中の処理が行われる。具体的には、たとえば、演出制御手段150により、ペナルティ期間中でない場合に、役抽選により所定の役に当選したときに、ＡＴ抽選を実行する処理が行われる。また、たとえば、有利遊技制御手段160により、第１ＡＴ予約フラグが成立している場合に、遊技状態が通常状態へ移行したとき又は遊技状態が通常状態であるときに、第１ＡＴ状態フラグを所定の記憶領域に成立させ、演出状態を第１ＡＴ状態に設定する処理が行われる。
【００７９】
また、たとえば、有利遊技制御手段160により、第２ＡＴ予約フラグが成立している場合に、遊技状態が通常状態へ移行したとき又は遊技状態が通常状態であるときに、第２ＡＴ状態フラグを所定の記憶領域に成立させ、演出状態を第２ＡＴ状態に設定する処理が行われる。また、たとえば、保障値設定手段180により、演出状態が第２ＡＴ状態に設定されたときに、カウンタに保障値（たとえば「３００」）を設定する処理が行われる。
また、たとえば、有利遊技制御手段160により、第３ＡＴ予約フラグが成立している場合に、遊技状態が通常状態へ移行したとき又は遊技状態が通常状態であるときに、第３ＡＴ状態フラグを所定の記憶領域に成立させ、演出状態を第３ＡＴ状態に設定する処理が行われる。そして、当該サブ制御処理が終了する。
【００８０】
ステップ２０２において、演出状態が第１ＡＴ状態であるか否かが判断される。ここで、演出状態が第１ＡＴ状態であると判断されると、ステップ２０３に進む。一方、演出状態が第１ＡＴ状態でないと判断されると、ステップ２０４に進む。
ステップ２０３において、演出状態が第１ＡＴ状態である場合における処理である第１ＡＴ中の処理が行われる。具体的には、たとえば、遊技状態が通常状態又は第３ＲＴ状態である場合に、役抽選によりベル役に当選したときに、ベル報知演出が実行される。また、たとえば、遊技状態が通常状態である場合に、役抽選によりリプレイＢＣ役又はリプレイＡＢＣ役に当選したときに、リプレイ報知演出が実行される。
【００８１】
また、たとえば、回避不能条件が成立したか否かを判断する処理が行われ、この終了条件が成立した場合には、通常ＡＲＴ遊技を終了するための終了時初期化処理、たとえば、有利遊技制御手段160により、演出状態を通常演出状態に設定する処理が行われる。そして、当該サブ制御処理が終了する。
ステップ２０４において、演出状態が第２ＡＴ状態であるか否かが判断される。ここで、演出状態が第２ＡＴ状態であると判断されると、ステップ２０５に進む。一方、演出状態が第２ＡＴ状態でないと判断されると、ステップ２０６に進む。
ステップ２０５において、演出状態が第２ＡＴ状態である場合における処理である第２ＡＴ中の処理が行われる。そして、当該サブ制御処理が終了する。
【００８２】
ステップ２０６において、演出状態が第３ＡＴ状態であるか否かが判断される。ここで、演出状態が第３ＡＴ状態であると判断されると、ステップ２０７に進む。一方、演出状態が第３ＡＴ状態でないと判断されると、当該サブ制御処理が終了する。
ステップ２０７において、演出状態が第３ＡＴ状態である場合における処理である第３ＡＴ中の処理が行われる。そして、当該サブ制御処理が終了する。
つぎに、上述したステップ２０５の第２ＡＴ中の処理について説明する。
図１０に示すステップ３００において、演出実行手段170により、報知演出に関する報知演出処理が行われる。具体的には、たとえば、遊技状態が通常状態又は第３ＲＴ状態である場合に、役抽選によりベル役に当選したときに、ベル報知演出が実行される。また、たとえば、遊技状態が通常状態である場合に、役抽選によりリプレイＢＣ役又はリプレイＡＢＣ役に当選したときに、リプレイ報知演出が実行される。そして、次のステップ３０１に進む。
【００８３】
ステップ３０１において、カウント手段190により、無限ＡＲＴ遊技に関する数（本実施の形態では遊技回数）をカウントするカウント処理が行われる。具体的には、遊技状態が通常状態又は第３ＲＴ状態でかつカウンタのカウント値が「１」以上である場合に、毎遊技の実行に伴い（たとえばスタートスイッチ33の操作を契機として）カウンタのカウント値が「１」減算される。そして、ステップ３０２に進む。
ステップ３０２において、ボーナス役に当選したか否かが判断される。ここで、当選したと判断されると、ステップ３０３に進む。一方、当選していないと判断されると、当該第２ＡＴ中の処理が終了する。
【００８４】
ステップ３０３において、有利遊技制御手段160により、第２ＡＴ状態フラグが消去される。これにより、無限ＡＲＴ遊技が終了する。そして、次のステップ３０４に進む。
ステップ３０４において、カウンタのカウント値が「１」以上であるか否かが判断される。ここで、「１」以上であると判断されると、ステップ３０５に進む。このとき、カウンタのカウント値はリセットされずにそのまま保持されている。一方、「１」以上でない、すなわち「０」であると判断されると、当該第２ＡＴ中の処理が終了する。
ステップ３０５において、有利遊技制御手段160により、第３ＡＴ予約フラグが成立される。これにより、ボーナス遊技が終了した後に、保障ＡＲＴ遊技が実行される。そして、当該第２ＡＴ中の処理が終了する。
【００８５】
つぎに、上述したステップ２０７の第３ＡＴ中の処理について説明する。
図１１に示すステップ４００において、演出実行手段170により、上述したステップ３００と同様の報知演出処理が行われる。そして、次のステップ４０１に進む。
ステップ４０１において、カウント手段190により、保障ＡＲＴ遊技に関する数（本実施の形態では遊技回数）をカウントするカウント処理が行われる。具体的には、遊技状態が通常状態又は第３ＲＴ状態でかつカウンタのカウント値が「１」以上である場合に、毎遊技の実行に伴い（たとえばスタートスイッチ33の操作を契機として）カウンタのカウント値が「１」減算される。そして、ステップ４０２に進む。
【００８６】
ステップ４０２において、カウンタのカウント値が「０」であるか否かが判断される。ここで、「０」であると判断されると、ステップ４０３に進む。一方、「０」でない、すなわち「１」以上であると判断されると、当該第３ＡＴ中の処理が終了する。
ステップ４０３において、保障ＡＲＴ遊技を終了するための終了時初期化処理が行われる。具体的には、たとえば、有利遊技制御手段160により、演出状態が通常演出状態に設定される。また、たとえば、カウント手段190により、カウンタのカウント値が「０」にリセットされる。そして、当該第３ＡＴ中の処理が終了する。
（作用・効果）
以上説明したように、本実施の形態では、無限ＡＲＴ遊技を開始するときに、無限ＡＲＴ遊技が少なくとも所定の期間にわたって実行されることを保障するための保障値としての所定の遊技回数（たとえば「３００」回）を設定し、無限ＡＲＴ遊技において遊技回数をカウントする。そして、ボーナス役の当選により無限ＡＲＴ遊技が終了した場合に、実行した無限ＡＲＴ遊技の遊技回数が、保障値としての保障する遊技回数（保障遊技回数）より小さいときには、当選したボーナス役に対応するボーナス遊技が終了した後に、残数分の保障ＡＲＴ遊技を実行する。
【００８７】
これにより、本実施の形態によれば、無限有利遊技中に早い遊技回数でボーナス役に当選したことによる遊技者の、なぜこのタイミングでボーナス役に当選してしまうのかといった不条理感や、本来であればもっと多く獲得できていたであろうメダルに対する損失感や、ストレスを払拭することができる。具体的には、たとえば、無限ＡＲＴ遊技を、通常ＡＲＴ遊技に比べて実行確率が極めて低い特別な位置付けの仕様とした場合、詳細には、ＡＴ抽選で、第１ＡＴ状態に切り替えることを決定する確率よりも第２ＡＴ状態に切り替えることを決定する確率を極めて低く設定した場合には、無限ＡＲＴ遊技中に、早い遊技回数でボーナス役に当選してしまうと、上記した不条理感や損失感やストレスを遊技者が特に強く感じるところ、本実施の形態によれば、このような不条理感や損失感やストレスを払拭することができる。
【００８８】
（変形例）
上記第１の実施の形態では、演出状態が第１ＡＴ状態、第２ＡＴ状態又は第３ＡＴ状態でかつ遊技状態が通常状態である場合には、ベル報知演出及びリプレイ報知演出が実行されるものであるが、本変形例では、リプレイ報知演出だけが実行されベル報知演出は実行されない。
（演出実行手段170）
本変形例では、演出実行手段170は、演出状態が第１ＡＴ状態、第２ＡＴ状態又は第３ＡＴ状態でかつ遊技状態が第３ＲＴ状態である場合に、役抽選により左ベルＡ役〜左ベルＣ役、中ベルＡ役〜中ベルＣ役及び右ベルＡ役〜右ベルＣ役のいずれかに当選したときに、ベル報知演出を実行する。
【００８９】
（カウント手段190）
本変形例では、カウント手段190は、演出状態が第２ＡＴ状態又は第３ＡＴ状態に設定され遊技状態が第３ＲＴ状態へ移行したときに、遊技回数のカウントを開始する。そして、カウント手段190は、演出状態が第２ＡＴ状態又は第３ＡＴ状態で、遊技状態が第３ＲＴ状態でかつカウンタのカウント値が「１」以上である場合に、毎遊技の実行に伴いカウンタのカウント値を「１」減算する。すなわち、本変形例では、遊技状態が通常状態である場合には、遊技回数をカウントしない。
また、カウント手段190は、通常ＡＲＴ遊技においても、同様に遊技回数をカウントすることができる。
【００９０】
このような仕様のＡＲＴ遊技を備えるスロットマシン10においても、上記第１の実施の形態と同様の作用・効果を奏する。
（第２の実施の形態）
上記第１の実施の形態では、カウント手段190は、無限ＡＲＴ遊技において、遊技回数をカウントするものであるが、本実施の形態では、所定の遊技回数（たとえば「５０」回）を１セットとするセット数をカウントする点が主として相違する。以下、相違点を中心に説明する。
（保障値設定手段180）
本実施の形態では、保障値設定手段180は、保障値として、所定のセット数（たとえば「６」回）を設定する。
【００９１】
また、本実施の形態では、保障値設定手段180は、演出状態が第２ＡＴ状態に設定されたとき、すなわち無限ＡＲＴ遊技を開始するときに、カウンタに保障値（たとえば「６」）を設定する。
（カウント手段190）
本実施の形態では、カウント手段190は、無限ＡＲＴ遊技に関する数として、セット数をカウントする。具体的には、カウント手段190は、第２ＡＴ状態において、１セットを構成する所定の遊技回数（たとえば「５０」回）が経過する度に、カウンタのカウント値が「１」以上であることを条件に、カウンタのカウント値を「１」減算する。これにより、カウント手段190は、無限ＡＲＴ遊技において、所定の遊技回数を１セットするセット数をカウントする。
【００９２】
また、カウント手段190は、第２ＡＴ状態において、役抽選によりボーナス役に当選した場合に、カウンタのカウント値が「１」以上であるときに、カウンタのカウント値をリセットせずにそのまま保持する。
また、カウント手段190は、演出状態が第３ＡＴ状態に設定されたとき、すなわち保障ＡＲＴ遊技が開始されたときには、保持しているカウント値からセット数のカウントを開始する。そして、カウント手段190は、第３ＡＴ状態において、１セットを構成する所定の遊技回数（たとえば「５０」回）が経過する度に、カウンタのカウント値が「１」以上であることを条件に、カウンタのカウント値を「１」減算する。なお、カウンタのカウント値が「０」になると、第３ＡＴ状態が終了し保障ＡＲＴ遊技は終了する。これにより、無限ＡＲＴ遊技がボーナス役の当選により終了した場合に、カウント手段190によりカウントされたカウント数が保障値より小さいものであったときに、ボーナス遊技が終了した後に、保障値に達していない残数分の保障ＡＲＴ遊技を実行するものとしている。
【００９３】
（有利遊技制御手段160）
本実施の形態では、保障ＡＲＴ遊技は、設定されるセット数の消化により終了する遊技となっている。
そして、本実施の形態では、有利遊技制御手段160は、第３ＡＴ状態において、カウンタのカウント値が「０」になったとき（設定されるセット数を消化したとき）に、第３ＡＴ状態フラグを消去して、演出状態を通常演出状態に設定する。これにより、保障ＡＲＴ遊技が終了する。
なお、無限ＡＲＴ遊技又は保障ＡＲＴ遊技における１セットを構成する所定の遊技回数（たとえば「５０」回）については、上記第１の実施の形態又は上記変形例と同様にカウントすることができる。また、この遊技回数については、カウント手段190がカウントするようにしてもよいし、カウント手段190とは別の手段がカウントするようにしてもよい。
【００９４】
また、保障ＡＲＴ遊技を実行する場合には、無限ＡＲＴ遊技においてカウントしていた遊技回数を保持したまま開始することもできるし、また、無限ＡＲＴ遊技においてカウントしていた遊技回数を破棄して、すなわち無限ＡＲＴ遊技において消化中のセットの遊技回数を破棄して開始することもできる。
このような構成としても、上記第１の実施の形態と同様の作用・効果を奏する。
（他の実施の形態）
上述した実施の形態では、カウント手段190は、遊技回数をカウントするものであるがこれに限られるものではない。たとえば、カウント手段190は、無限ＡＲＴ遊技に関する数として、ベル報知演出の実行回数や、メダルの払い出し枚数をカウントするようにしてもよい。この場合には、保障値設定手段180は、保障値として、ベル報知演出の所定の実行回数（たとえば「３３」回）や、メダルの所定の払い出し枚数（たとえば「３００」枚）を設定するようにすることができる。このようにすると、無限ＡＲＴ遊技において、一定枚数のメダルを遊技者に保障することができ、上述した実施の形態と同様の効果を奏する。
【００９５】
また、上述した実施の形態では、保障値に関する複数のモードを設け、このモードにより保障値が決定されるようにしてもよい。たとえば、モードとして、通常保障モード、高保障モード及び超保障モードを設け、通常保障モードでは保障値が「３００」に設定され、高保障モードでは保障値が「４００」に設定され、超保障モードでは保障値が「５００」に設定されるようにすることができる。なお、この場合では、このモードに基づいて、保障値が抽選により選択（決定）されるようにすることもできる。たとえば、通常保障モードでは、「３００」が選ばれ易いようにすることができる。
またなお、この場合では、通常遊技中、ボーナス遊技中又はＡＲＴ遊技中の所定の契機（たとえばスイカ役又はチェリー役の当選など）により、モードが移行するようすることができる。このようにすると、遊技が多様なものとなり、遊技の興趣を向上させることができる。
【００９６】
また、上述した実施の形態では、無限ＡＲＴ遊技中の所定の契機（たとえばスイカ役又はチェリー役の当選など）により、保障遊技回数を加算するようにするしてもよい。たとえば、無限ＡＲＴ遊技中に、チェリー役に当選したときに、カウンタに「５０」を加算するようにすることができる。このようにすると、遊技が多様なものとなり、遊技の興趣を向上させることができる。
また、上述した実施の形態では、保障値は、無限ＡＲＴ遊技を開始するときに設定されるものであるがこれに限られるものではない。たとえば、無限ＡＲＴ遊技において、ボーナス役に当選したときに、保障値を設定するようにしてもよい。この場合には、カウント手段190は、「０」から遊技回数のカウントを開始し、演出状態が第２ＡＴ状態で、遊技状態が通常状態又は第３ＲＴ状態である場合に、毎遊技の実行に伴い（たとえばスタートスイッチ33の操作を契機として）カウンタのカウント値を「１」加算する。そして、ボーナス役に当選したときに、保障値を設定し、カウンタのカウント値が保障値未満であった場合に、保障値からカウンタの現在のカウント値を減算した値を、カウンタのカウント値に設定するようにすることができる。
【００９７】
また、上述した実施の形態では、無限ＡＲＴ遊技を、上述の如く、演出状態が第２ＡＴ状態でかつ遊技状態が第３ＲＴ状態である遊技（無限ＡＲＴ遊技）において、ブランク図柄が有効入賞ライン上に停止表示され遊技状態が通常状態へ移行し、この通常状態において役抽選によりリプレイＢＣ役又はリプレイＡＢＣ役に当選した場合（所定の条件が成立した際）に、リプレイＣ役を構成する図柄の組み合わせが有効入賞ライン上に停止表示されなかったとき（特定の終了条件が成立したとき）にも、終了するようにすることができる。そして、この場合にも、カウンタのカウント値が「１」以上であったときには、保障ＡＲＴ遊技を実行するようにすることができる。なお、ボーナス役の当選により強制的に終了する場合と異なり、遊技者自身の行為により終了するものであるので、カウンタの残っているカウント値そのままで保障ＡＲＴ遊技を実行するのではなく、それより少ない残数分の保障ＡＲＴ遊技を実行するようにすることができる。たとえば、無限ＡＲＴ遊技が終了したときのカウンタのカウント値が「１００」であった場合には、カウンタのカウント値を「１００」未満の値（たとえば「５０」）に設定して、保障ＡＲＴ遊技を実行するようにすることができる。このようにすると、遊技者自身の行為により無限ＡＲＴ遊技が終了したとはいえ、上記した損失感やストレスを遊技者が感じるところ、このような損失感やストレスを払拭することができる。
【００９８】
また、上述した実施の形態では、無限ＡＲＴ遊技の「特定の終了条件」としては、上記した、第３ＲＴ状態から通常状態へ移行し、この通常状態においてリプレイＢＣ役又はリプレイＡＢＣ役に当選した場合に、リプレイＣ役を構成する図柄の組み合わせが有効入賞ライン上に停止表示されなかったことに限られるものではない。たとえば、特定の終了条件としては、演出状態が第２ＡＴ状態でかつ遊技状態が第３ＲＴ状態である遊技（無限ＡＲＴ遊技）において、ブランク図柄が有効入賞ライン上に停止表示され遊技状態が通常状態へ移行すること、とすることができる。この場合には、ベル報知演出が「回避報知演出」に相当する。
【００９９】
また、たとえば、特定の終了条件としては、第３ＲＴ状態から通常状態へ移行し、この通常状態においてリプレイＢＣ役又はリプレイＡＢＣ役に当選した場合に、リプレイＢ役を構成する図柄の組み合わせが有効入賞ライン上に停止表示され遊技状態が第２状態へ移行すること、とすることができる。
なお、これら例に挙げた特定の終了条件は、通常ＡＲＴ遊技又は保障ＡＲＴ遊技における終了条件とすることもできる。
また、上述した実施の形態では、第３ＲＴ状態において、リプレイＣ役を構成する図柄の組み合わせが有効入賞ライン上に停止表示された場合に、遊技状態が第３ＲＴ状態から通常状態へ移行するものであるが、これに限られるものではない。たとえば、ストップスイッチ34の操作のタイミング（操作態様）に応じて有効入賞ライン上に停止表示される、言い換えれば特定のタイミングでストップスイッチ34を操作した場合に有効入賞ライン上に停止表示される特殊役（たとえばシングルボーナス役や１枚役など）を設け、第３ＲＴ状態において、特殊役を構成する図柄の組み合わせが有効入賞ライン上に停止表示された場合に、通常状態へ移行するようにすることができる。この場合には、演出実行手段170は、特殊役の当選を遊技者に報知する報知演出（回避報知演出）を実行することができる。そして、有利遊技制御手段160は、演出状態が第２ＡＴ状態でかつ遊技状態が第３ＲＴ状態である遊技（無限ＡＲＴ遊技）において、特定のタイミング以外のタイミングでストップスイッチ34を操作すれば特殊役を構成する図柄の組み合わせが有効入賞ライン上に停止表示されることを回避可能であるにもかかわらず、特定のタイミング以外のタイミングでストップスイッチ34の操作を行うことができずに特定のタイミングでストップスイッチ34を操作してしまった結果、特殊役を構成する図柄の組み合わせが有効入賞ライン上に停止表示された場合に、無限ＡＲＴ遊技を終了するようにすることができる。
【０１００】
また、上述した実施の形態では、無限ＡＲＴ遊技は、通常遊技から移行するものであるがこれに限られるものではなく、通常ＡＲＴ遊技から移行するようにしてもよい。たとえば、通常ＡＲＴ遊技中の所定の契機（たとえばスイカ役又はチェリー役の当選など）により、無限ＡＲＴ遊技へ移行するか否かの移行抽選を行い、無限ＡＲＴ遊技へ移行するようにすることができる。この場合には、ボーナス役の当選により無限ＡＲＴ遊技が終了した後（具体的には保障ＡＲＴ遊技を実行する場合には、保障ＡＲＴ遊技を実行した後）に、通常ＡＲＴ遊技へ復帰するようにすることができる。
また、この場合には、カウント手段190は、無限ＡＲＴ遊技へ移行する前に実行していた通常ＡＲＴ遊技において実行した遊技回数やセット数を含めて、保障遊技回数や保障するセット数をカウントするようにしてもよいし、無限ＡＲＴ遊技へ移行する前に実行していた通常ＡＲＴ遊技において実行した遊技回数やセット数を含めずに、保障遊技回数や保障するセット数をカウントするようにしてもよい。
【０１０１】
また、上述した実施の形態では、保障ＡＲＴ遊技は、演出状態が通常演出状態でかつ第３ＡＴ予約フラグが成立している場合に、遊技状態が通常状態へ移行したとき又は遊技状態が通常状態であるときに、開始するものであるが、これに限られるものではなく、たとえば、ボーナス遊技が終了してから所定の遊技回数が経過したときなどに開始することができる。
また、上述した実施の形態では、通常ＡＲＴ遊技は、ボーナス役の当選により中断し、当選したボーナス役に対応するボーナス遊技が終了した後に再開するものであるが、これに限られるものではなく、ボーナス役の当選によっても終了するようにしてもよい。
【０１０２】
また、上述した実施の形態では、通常ＡＲＴ遊技は無くてもよい。
また、上述した実施の形態では、有利遊技は、ＡＲＴ遊技であるが、これに限られるものではなく、役抽選の結果に関する情報を遊技者に報知するＡＴ遊技や、再遊技役の当選確率を高くしたＲＴ遊技や、少なくともいずれかの回転リール45のスベリコマ数を０コマ又は１コマにすることにより、いわゆる目押しを可能としたＣＴ（チャレンジタイム）遊技などとすることができる。たとえば、有利遊技をＲＴ遊技とする場合には、遊技状態移行制御手段135を、有利遊技制御手段とすることができる。そして、ボーナス役に当選した場合に終了する無限ＲＴ状態と、所定の条件の成立により終了する有限ＲＴ状態とを設け、遊技状態移行制御手段135は、無限ＲＴ状態において、ボーナス役に当選した場合に、カウンタのカウント値が「１」以上のときには、遊技状態をボーナス状態（ボーナス遊技）へ移行させ、ボーナス遊技が終了した後に、遊技状態を有限ＲＴ状態へ移行させるようにすることができる。
【０１０３】
また、本発明は、上述した実施の形態に限定されるものではなく、本発明の目的を達成できる範囲における変形および改良なども含むものである。また、本発明は、上述した実施の形態を適宜組み合わせる、または組み替えることもできる。
【符号の説明】
【０１０４】
10  スロットマシン（遊技機）             21  遊技制御装置
22  演出制御装置                         33  スタートスイッチ
34  ストップスイッチ                     45  回転リール
100  役抽選手段                          160  有利遊技制御手段
170  演出実行手段                        180  保障値設定手段
190  カウント手段
【図１】
0005857317.tif 000002
【図２】
0005857317.tif 000003
【図３】
0005857317.tif 000004
【図４】
0005857317.tif 000005
【図５】
0005857317.tif 000006
【図６】
0005857317.tif 000007
【図７】
0005857317.tif 000008
【図８】
0005857317.tif 000009
【図９】
0005857317.tif 000010
【図１０】
0005857317.tif 000011
【図１１】
0005857317.tif 000012